(57)【要約】      （修正有）【課題】複数のサブキャリア間隔（spacing）をサポートする通信装置（端末装置および／または基地局装置）において、効率的に通信することができる端末装置、基地局装置および通信方法を提供する。【解決手段】端末装置は、上位層の信号に含まれる第１のパラメータに基づいて、データチャネルに適用可能なサブキャリア間隔のセットを特定する制御部と、データチャネルの割り当て情報を含むコントロールチャネルを受信する受信部を備える。データチャネルの割り当て情報のタイプに基づいて、データチャネルの割り当て情報によって割当てられるデータチャネルに対して適用可能なサブキャリア間隔を、サブキャリア間隔のセットの中から選択する。【選択図】図２３
2019057747.tif 000002
【特許請求の範囲】
【請求項１】
上位層の信号に含まれる第１のパラメータに基づいて、データチャネルに適用可能なサブキャリア間隔のセットを特定する制御部と、
データチャネルの割り当て情報を含むコントロールチャネルを受信する受信部を備え、
前記データチャネルの割り当て情報のタイプに基づいて、前記データチャネルの割当情報によって割当てられる前記データチャネルに対して適用可能なサブキャリア間隔を、前記サブキャリア間隔のセットの中から選択する
端末装置。
【請求項２】
前記第１のパラメータは、オペレーティングバンドに関連する
請求項１記載の端末装置。
【請求項３】
前記オペレーティングバンドには、上りリンクオペレーティングバンドと下りリンクオペレーティングバンドが対応し、
前記上りリンクオペレーティングバンドに適用可能なサブキャリア間隔と前記下りリンクオペレーティングバンドに適用可能なサブキャリア間隔は独立に定義される
請求項２記載の端末装置。
【請求項４】
前記データチャネルの割り当て情報のタイプは、上りリンクのデータチャネルの割り当て情報に関連する第１のタイプと、下りリンクのデータチャネルの割り当て情報に関連する第２のタイプを含む
請求項１記載の端末装置。
【請求項５】
前記データチャネルの割り当て情報のタイプが前記第１のタイプである場合は、前記適用可能なサブキャリア間隔のセットの内、第１のサブキャリア間隔を前記上りリンクのデータチャネルに適用し、
前記データチャネルの割り当て情報のタイプが前記第２のタイプである場合は、前記適用可能なサブキャリア間隔のセットの内、第２のサブキャリア間隔を前記下りリンクのデータチャネルに適用する
請求項４記載の端末装置。
【請求項６】
前記サブキャリア間隔のセットは、第１のサブセットと第２のサブセットを含み、
前記データチャネルの割り当て情報のタイプが前記第１のタイプである場合は、前記第１のサブセットに含まれる第１のサブキャリア間隔を前記上りリンクのデータチャネルに適用し、
前記データチャネルの割り当て情報のタイプが前記第２のタイプである場合は、前記第２のサブセットに含まれる第２のサブキャリア間隔を前記下りリンクのデータチャネルに適用する
請求項４記載の端末装置。
【請求項７】
前記第１のサブキャリア間隔および／または前記第２のサブキャリア間隔は、報知される情報、複数の端末装置に対して共通である情報、１つの端末装置に対して専用である情報、物理層の情報、および／または、上位層の情報、を用いて指示される
請求項６記載の端末装置。
【請求項８】
データチャネルに適用可能なサブキャリア間隔のセットを示すことに関連する第１のパラメータを含む上位層の信号を送信する送信部と、
データチャネルの割り当て情報を含むコントロールチャネルを送信する送信部と、
前記データチャネルの割り当て情報のタイプに基づく適用可能なサブキャリア間隔を用
いて、データチャネルを送信する送信部を備え、
前記適用可能なサブキャリア間隔は、前記サブキャリア間隔のセットの中に含まれる
基地局装置。
【請求項９】
前記第１のパラメータは、オペレーティングバンドに関連する
請求項８記載の基地局装置。
【請求項１０】
前記オペレーティングバンドには、上りリンクオペレーティングバンドと下りリンクオペレーティングバンドが対応し、
前記上りリンクオペレーティングバンドに適用可能なサブキャリア間隔と前記下りリンクオペレーティングバンドに適用可能なサブキャリア間隔は独立に定義される
請求項９記載の基地局装置。
【請求項１１】
前記データチャネルの割り当て情報のタイプは、上りリンクのデータチャネルの割り当て情報に関連する第１のタイプと、下りリンクのデータチャネルの割り当て情報に関連する第２のタイプを含む
請求項８記載の基地局装置。
【請求項１２】
前記データチャネルの割り当て情報のタイプが前記第１のタイプである場合は、前記適用可能なサブキャリア間隔のセットの内、第１のサブキャリア間隔を前記上りリンクのデータチャネルに適用し、
前記データチャネルの割り当て情報のタイプが前記第２のタイプである場合は、前記適用可能なサブキャリア間隔のセットの内、第２のサブキャリア間隔を前記下りリンクのデータチャネルに適用する
請求項１１記載の基地局装置。
【請求項１３】
前記サブキャリア間隔のセットは、第１のサブセットと第２のサブセットを含み、
前記データチャネルの割り当て情報のタイプが前記第１のタイプである場合は、前記第１のサブセットに含まれる第１のサブキャリア間隔を前記上りリンクのデータチャネルに適用し、
前記データチャネルの割り当て情報のタイプが前記第２のタイプである場合は、前記第２のサブセットに含まれる第２のサブキャリア間隔を前記下りリンクのデータチャネルに適用する
請求項１１記載の基地局装置。
【請求項１４】
前記第１のサブキャリア間隔および／または前記第２のサブキャリア間隔は、報知される情報、複数の端末装置に対して共通である情報、１つの端末装置に対して専用である情報、物理層の情報、および／または、上位層の情報、を用いて指示される
請求項１３記載の基地局装置。
【請求項１５】
上位層の信号に含まれる第１のパラメータに基づいて、データチャネルに適用可能なサブキャリア間隔のセットを特定し、
データチャネルの割り当て情報を含むコントロールチャネルを受信し、
前記データチャネルの割り当て情報のタイプに基づいて、前記データチャネルの割当情報に関連する前記データチャネルに対して適用可能なサブキャリア間隔を、前記サブキャリア間隔のセットの中から選択する
端末装置における通信方法。
【請求項１６】
データチャネルに適用可能なサブキャリア間隔のセットを示すことに関連する第１のパラメータを含む上位層の信号を送信し、
データチャネルの割り当て情報を含むコントロールチャネルを送信し、
前記データチャネルの割り当て情報のタイプに基づく適用可能なサブキャリア間隔を用いて、データチャネルを送信し、
前記適用可能なサブキャリア間隔は、前記サブキャリア間隔のセットの中に含まれる
基地局装置における通信方法。
【発明の詳細な説明】
【技術分野】
【０００１】
本発明の実施形態は、効率的な通信を実現する端末装置、基地局装置および通信方法の技術に関する。
【背景技術】
【０００２】
標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において、ＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）通信方式やリソースブロックと呼ばれる所定の周波数・時間単位の柔軟なスケジューリングの採用によって、高速な通信を実現させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降Ｅ−ＵＴＲＡと称する）の標準化が行なわれた。
【０００３】
また、３ＧＰＰでは、より高速なデータ伝送を実現し、Ｅ−ＵＴＲＡに対して上位互換性を持つＡｄｖａｎｃｅｄ  Ｅ−ＵＴＲＡの検討を行っている。Ｅ−ＵＴＲＡでは、基地局装置がほぼ同一のセル構成（セルサイズ）から成るネットワークを前提とした通信システムであったが、Ａｄｖａｎｃｅｄ  Ｅ−ＵＴＲＡでは、異なる構成の基地局装置（セル）が同じエリアに混在しているネットワーク（異種無線ネットワーク、ヘテロジニアスネットワーク（Ｈｅｔｅｒｏｇｅｎｅｏｕｓ  Ｎｅｔｗｏｒｋ））を前提とした通信システムの検討が行われている。なお、Ｅ−ＵＴＲＡはＬＴＥ（Long Term Evolution）とも呼
称され、Ａｄｖａｎｃｅｄ  Ｅ−ＵＴＲＡはＬＴＥ−Ａｄｖａｎｃｅｄとも呼称される。また、ＬＴＥは、ＬＴＥ−Ａｄｖａｎｃｅｄを含めた総称とすることもできる。
【０００４】
さらに、３ＧＰＰにおいて、第５世代の通信について提案が行なわれた（非特許文献１）。なお、第５世代無線通信技術／第５世代無線アクセス技術をＮＸまたはＮＧＲＡＴ（Next Generation Radio Access Technology）と称する場合がある。
【先行技術文献】
【非特許文献】
【０００５】
【非特許文献１】RWS-150009, Ericsson, 3GPP RAN Workshop on 5G, 17th-18th Sep 2015.
【発明の概要】
【発明が解決しようとする課題】
【０００６】
本発明は、複数のサブキャリア間隔（spacing）をサポートする通信装置（端末装置お
よび／または基地局装置）において、効率的に通信することができる端末装置、基地局装置および通信方法を提供する。
【課題を解決するための手段】
【０００７】
本発明の一様態による端末装置は、上位層の信号に含まれる第１のパラメータに基づいて、データチャネルに適用可能なサブキャリア間隔のセットを特定する制御部と、データチャネルの割り当て情報を含むコントロールチャネルを受信する受信部を備え、前記データチャネルの割り当て情報のタイプに基づいて、前記データチャネルの割当情報によって割当てられる前記データチャネルに対して適用可能なサブキャリア間隔を、前記サブキャリア間隔のセットの中から選択する。
【０００８】
本発明の一様態による基地局装置は、データチャネルに適用可能なサブキャリア間隔のセットを示すことに関連する第１のパラメータを含む上位層の信号を送信する送信部と、
データチャネルの割り当て情報を含むコントロールチャネルを送信する送信部と、前記データチャネルの割り当て情報のタイプに基づく適用可能なサブキャリア間隔を用いて、データチャネルを送信する送信部を備え、前記適用可能なサブキャリア間隔は、前記サブキャリア間隔のセットの中に含まれる。
【０００９】
本発明の一様態による端末装置における通信方法は、上位層の信号に含まれる第１のパラメータに基づいて、データチャネルに適用可能なサブキャリア間隔のセットを特定し、データチャネルの割り当て情報を含むコントロールチャネルを受信し、前記データチャネルの割り当て情報のタイプに基づいて、前記データチャネルの割当情報に関連する前記データチャネルに対して適用可能なサブキャリア間隔を、前記サブキャリア間隔のセットの中から選択する。
【００１０】
本発明の一様態による基地局装置における通信方法は、データチャネルに適用可能なサブキャリア間隔のセットを示すことに関連する第１のパラメータを含む上位層の信号を送信し、データチャネルの割り当て情報を含むコントロールチャネルを送信し、前記データチャネルの割り当て情報のタイプに基づく適用可能なサブキャリア間隔を用いて、データチャネルを送信し、前記適用可能なサブキャリア間隔は、前記サブキャリア間隔のセットの中に含まれる。
【発明の効果】
【００１１】
この発明によれば、複数のサブキャリア間隔をサポートする通信装置（端末装置および／または基地局装置）において、効率的に通信することができる。
【図面の簡単な説明】
【００１２】
【図１】本実施形態に係る無線通信システムの一例を示す概念図である。
【図２】本実施形態に係るサービングセルの一例を示す図である。
【図３】本実施形態に係るキャリアアグリゲーションの一例を示す図である
【図４】本実施形態に係るスロットの構成の一例を示す図である。
【図５】本実施形態に係るスロットの構成の一例を示す図である。
【図６】本実施形態に係るリソースブロックの一例を示す図である。
【図７】本実施形態に係るリソースブロックの一例を示す図である。
【図８】本実施形態に係る制御情報が送信される領域と制御情報以外が送信される領域の一例を示す図である。
【図９】本実施形態に係る無線リソース使用方法の一例を示す図である。
【図１０】本実施形態に係るＣＰ付加の一例を示す図である。
【図１１】本実施形態に係るＣＳＩ測定および／またはＲＲＭ測定の一例を示す図である。
【図１２】本実施形態に係るＣＳＩ測定および／またはＲＲＭ測定の一例を示す図である。
【図１３】本実施形態に係るスケジューリングの一例を示す図である。
【図１４】本実施形態に係るスケジューリングの一例を示す図である。
【図１５】本実施形態に係る同期信号送信方法の一例を示す図である。
【図１６】本実施形態に係るマルチキャストデータ送信方法の一例を示す図である。
【図１７】本実施形態に係るサブキャリア間隔を管理するテーブルの一例を示す図である。
【図１８】本実施形態に係るサブキャリア間隔を管理するテーブルの一例を示す図である。
【図１９】本実施形態に係るサブキャリア間隔を管理するテーブルの一例を示す図である。
【図２０】本実施形態に係るサブキャリア間隔を管理するテーブルの一例を示す図である。
【図２１】本実施形態に係るサブキャリア間隔を管理するテーブルの一例を示す図である。
【図２２】本実施形態に係る基地局装置のブロック構成の一例を示す図である。
【図２３】本実施形態に係る端末装置のブロック構成の一例を示す図である。
【図２４】本実施形態に係るサブキャリア間隔を管理するテーブルの一例を示す図である。
【図２５】本実施形態に係るサブキャリア間隔を管理するテーブルの一例を示す図である。
【発明を実施するための形態】
【００１３】
＜第１の実施形態＞
本発明の第１の実施形態について以下に説明する。基地局装置（基地局、ノードＢ、ｅＮＢ（eNodeB））と端末装置（端末、移動局、ユーザ装置、ＵＥ（User equipment））とが、セルにおいて通信する通信システム（セルラーシステム）を用いて説明する。
【００１４】
なお、本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００１５】
なお、本実施形態の説明において、下りリンクに関する説明は、ノーマルセルにおける下りリンクおよびＬＡＡセルにおける下りリンクを含む。例えば、下りリンクサブフレームに関する説明は、ノーマルセルにおける下りリンクサブフレーム、ＬＡＡセルにおけるフルサブフレームおよびＬＡＡセルにおける部分サブフレームを含む。
【００１６】
ＥＵＴＲＡおよびＡｄｖａｎｃｅｄ  ＥＵＴＲＡで使用される主な物理チャネル、および物理シグナルについて説明を行なう。チャネルとは信号の送信に用いられる媒体を意味し、物理チャネルとは信号の送信に用いられる物理的な媒体を意味する。本実施形態において、物理チャネルは、信号と同義的に使用され得る。物理チャネルは、ＥＵＴＲＡ、およびＡｄｖａｎｃｅｄ  ＥＵＴＲＡにおいて、今後追加、または、その構造やフォーマット形式が変更または追加される可能性があるが、変更または追加された場合でも本実施形態の説明には影響しない。
【００１７】
図１は、本実施形態の無線通信システムの概念図である。図１において、無線通信システムは、端末装置１Ａ〜１Ｃ、および基地局装置３を具備する。なお、本実施形態においては説明のため端末装置１Ａ〜１Ｃを単に端末装置と称する。なお、本実施形態においては説明のため基地局装置３を単に基地局装置と称する。
【００１８】
本実施形態は、RRC_CONNECTED状態、または、RRC_CONNECTEDモードである端末装置のみに適用されてもよい。本実施形態は、RRC_IDLE状態、または、RRC_IDLE状態である端末装置のみに適用されてもよい。本実施形態は、RRC_CONNECTED状態、または、RRC_CONNECTEDモードである端末装置とRRC_IDLE状態、または、RRC_IDLE状態である端末装置の両方に適用されてもよい。
【００１９】
本実施形態において、端末装置には、１つのサービングセルが設定される。該１つのサービングセルは、プライマリーセルであってもよい。該１つのサービングセルは、端末装置がキャンプしているセルであってもよい。プライマリーセルは、初期コネクション確立（initial connection establishment）プロシージャが行なわれたセル、コネクション再確立（connection re-establishment）プロシージャを開始したセル、または、ハンドオ
ーバプロシージャにおいてプライマリーセルと指示されたセルである。
【００２０】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。ＦＤＤにおいて、上りリンクコンポーネントキャリアと下りリンクコンポーネントキャリアは、異なるキャリア周波数に対応する。ＴＤＤにおいて、上りリンクコンポーネントキャリアと下りリンクコンポーネントキャリアは、同じキャリア周波数に対応する。
【００２１】
下りリンクにおいて、サービングセル（下りリンクコンポーネントキャリア）毎に１つの独立したＨＡＲＱエンティティ（entity）が存在する。ＨＡＲＱエンティティは、複数のＨＡＲＱプロセスを並行して管理する。ＨＡＲＱプロセスは、受信した下りリンクアサインメント（下りリンク制御情報）に基づいてデータを受信するよう物理層に指示する。
【００２２】
下りリンクにおいて、サービングセル毎に１つまたは複数のＴＴＩ（Transmission Time Interval）毎に少なくとも１つのトランスポートブロックが生成される。トランスポートブロック、および、そのトランスポートブロックのＨＡＲＱ再送信は、１つのサービングセルにマップされる。尚、ＬＴＥにおいて、ＴＴＩはサブフレームである。下りリンクにおけるトランスポートブロックは、ＤＬ−ＳＣＨ（Downlink Shared CHannel）で送信
されるＭＡＣ層のデータである。
【００２３】
本実施形態の下りリンクにおいて、「トランスポートブロック」、「ＭＡＣ  ＰＤＵ（Protocol Data Unit）」、「ＭＡＣ層のデータ」、「ＤＬ−ＳＣＨ」、「ＤＬ−ＳＣＨデータ」、および、「下りリンクデータ」は、同一のものとする。
【００２４】
図２は、本実施形態におけるサービングセルの一例である。なお、図２のサービングセルは、ダウンリンクサービングセル、ダウンリンクコンポーネントキャリア、などに換言されてもよい。１つのサービングセルは複数の領域を含んでもよい。図２は、１つのサービングセルに３つの領域が含まれる例を示している。なお、図示していないが、各領域の間にはガード周波数が存在してもよい。なお、図示していないが、各領域はオーバーラップしてもよい。すなわち、各領域の間にはガード周波数が存在しなくてもよい。なお、１つのサービングセルに含まれる領域の数は制限されてもよい。例えば、１つのサービングセルに含まれる領域の数の上限は５つまでに制限されてもよい。なお、１つのサービングセルに含まれる領域には、下りリンク送信に使用される領域と、上りリンク送信に使用される領域が含まれてもよい。例えば、第１の領域と第２の領域は下りリンク送信に使用され、第３の領域は上りリンク送信に使用されてもよい。
【００２５】
なお、１つのサービングセルに含まれる領域毎に異なるサブキャリア間隔（spacing）
が適用されてもよい。例えば、第１の領域には第１のサブキャリア間隔が適用され、第２の領域には第２のサブキャリア間隔が適用され、第３の領域には第３のサブキャリア間隔が適用されてもよい。なお、領域において適用されるサブキャリア間隔は、後述の要素（１）から要素（４）の一部または全部に基づいて決定されてもよい。
【００２６】
また、端末装置と基地局装置は、キャリアアグリゲーションによって複数の異なる周波数バンド（周波数帯）の周波数（サービングセル、セル、コンポーネントキャリア、または周波数帯域）を集約（アグリゲート、ａｇｇｒｅｇａｔｅ）して一つの周波数（周波数帯域）のように扱う技術を適用してもよい。コンポーネントキャリアには、上りリンクに対応する上りリンクコンポーネントキャリアと、下りリンクに対応する下りリンクコンポーネントキャリアとがある。なお、キャリアアグリゲーションはセルアグリゲーションと称されてもよい。
【００２７】
例えば、キャリアアグリゲーションによって周波数帯域幅が２０ＭＨｚのコンポーネントキャリアを５つ集約した場合、キャリアアグリゲーションを可能な能力を持つ端末装置はこれらを１００ＭＨｚの周波数帯域幅とみなして送受信を行う。なお、集約するコンポーネントキャリアは連続した周波数であっても、全てまたは一部が不連続となる周波数であってもよい。例えば、使用可能な周波数バンドが８００ＭＨｚ帯、２ＧＨｚ帯、３．５ＧＨｚ帯である場合、あるコンポーネントキャリアが８００ＭＨｚ帯、別のコンポーネントキャリアが２ＧＨｚ帯、さらに別のコンポーネントキャリアが３．５ＧＨｚ帯で送信されていてもよい。
【００２８】
また、同一周波数帯の連続または不連続の複数のコンポーネントキャリアを集約することも可能である。各コンポーネントキャリアの周波数帯域幅は端末装置の受信可能周波数帯域幅（例えば２０ＭＨｚ）よりも狭い周波数帯域幅（例えば５ＭＨｚや１０ＭＨｚ）であっても良く、集約する周波数帯域幅が各々異なっていても良い。周波数帯域幅は、後方互換性を考慮して従来のセルの周波数帯域幅のいずれかと等しいことが望ましいが、従来のセルの周波数帯域と異なる周波数帯域幅でも構わない。
【００２９】
図３は、本実施形態におけるキャリアアグリゲーションの一例である。図３は、サービングセル１とサービングセル２が集約された例である。サービングセル１は第１の領域から第３の領域を含み、サービングセル２は第４の領域から第５の領域を含む。
【００３０】
なお、集約される複数サービングセルの内、何れか１つのサービングセルはプライマリーセルであることが好ましく、集約される複数サービングセルの内、プライマリーセルではないサービングセルはセカンダリーセルであってもよい。例えば、サービングセル１がプライマリーセルであり、サービングセル２がセカンダリーセルであってもよい。なお、プライマリーセルの中の１つの領域をプライマリー領域としてもよい。なお、プライマリー領域はセカンダリーセルにも存在してもよい。例えば、プライマリーセルであるサービングセル１の中の第１の領域がプライマリー領域であり、セカンダリーセルであるサービングセル２の中の第４の領域がプライマリーセカンダリー領域であってもよい。
【００３１】
図４と図５は、本実施形態のスロットの構成を示す図である。本実施形態では、シンボルに対してＣＰ（normal Cyclic Prefix）が適用されてもよい。スロットのそれぞれにおいて送信される物理信号または物理チャネルは、リソースグリッドによって表現される。図４、図５において、横軸は時間軸であり、縦軸は周波数軸である。下りリンクにおいて、リソースグリッドは複数のサブキャリアと複数のシンボルによって定義される。上りリンクにおいて、リソースグリッドは複数のサブキャリアと複数のシンボルによって定義される。なお、下りリンクにおけるシンボルはＯＦＤＭシンボル、フィルタードＯＦＤＭシンボル、または、ＤＦＴ−Ｓ−ＯＦＤＭシンボルであってもよい。なお、上りリンクにおけるシンボルはＯＦＤＭシンボル、フィルタードＯＦＤＭシンボル、ＳＣ−ＦＤＭＡシンボル、または、ＤＦＴ−Ｓ−ＯＦＤＭシンボルであってもよい。１つのスロットを構成するサブキャリアの数は、セルの帯域幅に依存する。リソースグリッド内のエレメントのそれぞれをリソースエレメントと称する。リソースエレメントは、サブキャリアの番号とシンボルの番号とを用いて識別する。なお、サブキャリア間隔を狭くするとシンボル長は長くなり、サブキャリア間隔を広くするとシンボル長は短くなることは自明である。なお、サブキャリア間隔を狭くするとはサブキャリア帯域幅を狭くすることと同じであり、サブキャリア間隔を広くするとはサブキャリア帯域幅を広くすることと同じである。
【００３２】
なお、図４と図５の違いを説明する。図４は周波数領域においてサブキャリア帯域幅（サブキャリア間隔）は可変であるが、時間領域においては可変ではない。換言すると、図４はあるシンボルにおいて複数のサブキャリア間隔が混在する。図５は周波数領域におい
てサブキャリア帯域幅（サブキャリア間隔）は可変ではないが、時間領域においては可変である。換言すると、図５はあるシンボルにおいて複数のサブキャリア間隔が混在しない。なお、図示はしていないが図４の時間領域において、サブキャリア間隔は準静的に（semi-staticに）可変でもよいし、動的に（dynamicに）可変でもよい。なお、図示はしていないが図４の時間領域においてサブキャリア間隔は準静的に（semi-staticに）可変であ
ってもよい。換言すると、図４の時間領域においてサブキャリア間隔は動的に（dynamic
に）可変でなくてもよい。なお、図示はしていないが図５の周波数領域において、サブキャリア間隔は準静的に（semi-staticに）可変でもよいし、動的に（dynamicに）可変でもよい。なお、図示はしていないが図５の周波数領域においてサブキャリア間隔は準静的に（semi-staticに）可変であってもよい。換言すると、図５の周波数領域においてサブキ
ャリア間隔は動的に（dynamicに）可変でなくてもよい。
【００３３】
図６は、本実施形態におけるリソースブロックの一例である。所定のサブキャリア数と所定のシンボル数で定義（特定）される領域をリソースブロックと定義してもよい。図６は、周波数領域における４つのサブキャリアと時間領域における４つのシンボルで定義（特定）される領域をリソースブロックと定義した場合の図である。図６に示されるように複数のサブキャリア間隔が適用可能な場合、適用されるサブキャリア間隔に基づいてリソースブロックを定義（特定）する周波数帯域幅と時間の長さが異なる。例えば、あるリソースブロックが帯域幅Ｙ／２ｋＨｚと時間２・Ｂｍｓで定義（特定）され、あるリソースブロックが帯域幅ＹｋＨｚと時間Ｂｍｓで定義（特定）され、あるリソースブロックが帯域幅２・ＹｋＨｚと時間Ｂ／２ｍｓで定義（特定）される。なお、図示していないが、１つのリソースブロック内に複数のサブキャリア間隔および／またはシンボル長が含まれてもよい。
【００３４】
なお、所定のサブキャリア数および所定のシンボル数で定義（特定）される領域をリソースブロックと定義する一例を説明したが、リソースブロックは、所定のサブキャリア数または所定のシンボル数のみで定義されてもよい。すなわち、リソースブロックは、時間領域または周波数領域のみで定義されてもよい。すなわち、所定のサブキャリア数、および／または、所定のシンボル数で定義（特定）される領域をリソースブロックと定義してもよい。
【００３５】
図７は、本実施形態におけるリソースブロックの一例である。所定の周波数帯域幅と所定の時間（シンボル時間）で定義（特定）される領域をリソースブロックと定義してもよい。図７は、帯域幅ＹｋＨｚと時間Ｂｍｓで定義（特定）される領域をリソースブロックと定義した場合の図である。図７に示されるように複数のサブキャリア間隔が適用可能な場合、１つのリソースブロックを定義（特定）するサブキャリア数とシンボル数が異なる。例えば、あるリソースブロックが８つのサブキャリアと２つのシンボルで定義（特定）され、あるリソースブロックが４つのサブキャリアと４つのシンボルで定義（特定）され、あるリソースブロックが２つのサブキャリアと８つのシンボルで定義（特定）される。なお、図示していないが、１つのリソースブロック内に複数のサブキャリア間隔および／またはシンボル長が含まれてもよい。
【００３６】
なお、所定の周波数帯域幅および所定の時間で定義（特定）される領域をリソースブロックと定義する一例を説明したが、リソースブロックは、所定の周波数帯域幅または所定の時間のみで定義されてもよい。すなわち、リソースブロックは、時間領域または周波数領域のみで定義されてもよい。すなわち、所定の周波数帯域幅、および／または、所定の時間で定義（特定）される領域をリソースブロックと定義してもよい。
【００３７】
なお、リソースブロックは、ある物理チャネル（下りリンクのデータチャネル（例えば、ＰＤＳＣＨ）または上りリンクのデータチャネル（例えば、ＰＵＳＣＨ）など）のリソ
ースエレメントへのマッピングを表現するために用いられてもよい。リソースブロックは、仮想リソースブロックと物理リソースブロックが定義されてもよい。ある物理チャネルは、まず仮想リソースブロックにマップされてもよい。その後、仮想リソースブロックは、物理リソースブロックにマップされてもよい。物理リソースブロックは周波数領域において０から番号が付けられてもよい。なお、リソースブロックはチャンクと称されてもよい。
【００３８】
図８は、本実施形態において制御情報が送信される領域と制御情報以外が送信される領域を図示した一例である。なお、制御情報が送信される領域は制御チャネルと称されてもよいし、制御チャネルは下りリンクの制御チャネル（例えば、ＰＤＣＣＨ）であってもよい。なお、制御情報以外が送信される領域は少なくともユーザーデータ送信のための領域（チャネル、例えば、例えば、ＰＤＳＣＨ）が含まれてもよい。なお、制御情報が送信される領域は、所定のサブキャリア間隔であってもよい。なお、制御情報が送信される領域と、該制御情報が送信される領域において送信される制御情報によって制御される領域のサブキャリア間隔は同じであってもよい。なお、制御情報が送信される領域と、該制御情報が送信される領域において送信される制御情報によって制御される領域のサブキャリア間隔は異なってもよい。
【００３９】
図９は、本実施形態における無線リソース使用方法の一例である。
【００４０】
図９中の（１）に示される無線リソース使用方法について説明する。（１）は制御情報を送信する領域が時間領域において先頭にあり、それに続いて参照信号（ＲＳ）が周波数領域および時間領域において分散的に送信される。なお、制御信号および参照信号が送信されない領域は、データの送信に用いられてもよい。なお、図示はしていないが制御情報を送信する領域においても参照信号（ＲＳ）が送信されてもよい。なお、制御情報を送信する領域において送信される参照信号（制御情報のための参照信号）と、データを送信する領域において送信される参照信号（データのための参照信号）は異なってもよい。
【００４１】
図９中の（２）に示される無線リソース使用方法について説明する。（２）は参照信号を送信する領域（参照バースト）が時間領域において先頭にあり、それに続いて制御情報を送信する領域（制御バースト）、データを送信する領域（データバースト）がある。なお、制御信号および参照信号が送信されない領域は、データの送信に用いられてもよい。なお、参照バーストで送信される参照信号は、制御バースト、および／または、データバーストで送信される信号と関連してもよい。すなわち、参照バーストで送信される参照信号は、制御バースト、および／または、データバーストで送信される信号の復調に用いられてもよい。なお、制御情報バーストのための参照信号と、データバーストのための参照信号は異なってもよい。なお、各バースト（参照バースト、制御バースト、データバースト）において異なるサブキャリア間隔が適用されてもよい。例えば、各バーストの先頭（先頭のシンボル、または、先頭の複数のシンボル）で該各バーストにおいて適用されるサブキャリア間隔が通知されてもよい。例えば、各バーストにおいて時間的に連続する次のバーストで適用されるサブキャリア間隔が通知されてもよい。例えば、制御バーストにおいて、該制御バーストによって送信される制御情報によって制御されるバースト（データバースト）のサブキャリア間隔が通知されてもよい。なお、図示していないが、各バーストの間にはギャップが存在してもよい。
【００４２】
図９中の（３）に示される無線リソース使用方法について説明する。（３）は下りリンク送信のための領域（下りリンクバースト）が時間領域において先頭にあり、それに続いて上りリンク送信のための領域（上りリンクバースト）がある。なお、下りリンクバーストにおいては、制御信号、データ信号、参照信号の一部もしくは全部が送信されてもよい。なお、上りリンクバーストにおいては、制御信号、データ信号、参照信号の一部もしく
は全部が送信されてもよい。なお、各バースト（下りリンクバースト、上りリンクバースト）において異なるサブキャリア間隔が適用されてもよい。例えば、各バーストの先頭（先頭のシンボル、または、先頭の複数のシンボル）で該各バーストにおいて適用されるサブキャリア間隔が通知されてもよい。なお、図示していないが、各バーストの間にはギャップが存在してもよい。例えば、下りリンクバーストにおいて時間的に連続する上りリンクバーストで適用されるサブキャリア間隔が通知されてもよい。
【００４３】
図１０は、本実施形態におけるＣＰ付加の一例である。サブキャリア間隔を狭くするとシンボル長は長くなり、サブキャリア間隔を広くするとシンボル長は短くなることは自明である。なお、サブキャリア間隔を狭くするとはサブキャリア帯域幅を狭くすることと同じであり、サブキャリア間隔を広くするとはサブキャリア帯域幅を広くすることと同じである。すなわち、図１０は、異なるシンボル長のシンボルに対して異なる長さのＣＰが付加されることを示している。すなわち、シンボル長とＣＰの長さが対応してもよい。すなわち、第１のシンボル長のシンボルには第１のＣＰが付加され、第２のシンボル長のシンボルには第２のＣＰが付加され、・・・、第ｘのシンボル長には第ｘのＣＰが付加される。なお、何れのＣＰ（何れの長さのＣＰ）を付加するかは、ＣＰが付加されるシンボルのシンボル長に基づいて決定されてもよい、すなわち、何れのＣＰ（何れの長さのＣＰ）を付加するかは、ＣＰが付加されるシンボルのシンボル長に基づいて暗示的に決定されてもよい。また、何れのＣＰ（何れの長さのＣＰ）を付加するかは、基地局装置から明示的に通知されてもよい（Ｌ１もしくは上位層の信号を用いて通知（送信）されてもよい）。なお、シンボル長が異なることは、サブキャリア間隔が異なることと同じである。すなわち、シンボル長はサブキャリア間隔に換言することができる。
【００４４】
図１１は、本実施形態におけるＣＳＩ測定および／またはＲＲＭ測定の一例である。チャネル状態情報（ＣＳＩ：Ｃｈａｎｎｅｌ  Ｓｔａｔｅ  Ｉｎｆｏｒｍａｔｉｏｎ）は、参照信号に基づいて測定されてもよい。例えば、ＣＳＩは、チャネル状態情報参照信号（ＣＳＩ−ＲＳ）またはセル固有参照信号（ＣＲＳ：Ｃｅｌｌ−ｓｐｅｃｉｆｉｃ  ＲＳ）に基づいて測定されてもよい。ＣＳＩは、受信品質指標（ＣＱＩ：Ｃｈａｎｎｅｌ  Ｑｕａｌｉｔｙ  Ｉｎｄｉｃａｔｏｒ）、プレコーディング行列指標（ＰＭＩ：Ｐｒｅｃｏｄｉｎｇ  Ｍａｔｒｉｘ  Ｉｎｄｉｃａｔｏｒ）、プレコーディングタイプ指標（ＰＴＩ：Ｐｒｅｃｏｄｉｎｇ  Ｔｙｐｅ  Ｉｎｄｉｃａｔｏｒ）、ランク指標（ＲＩ：Ｒａｎｋ  Ｉｎｄｉｃａｔｏｒ）を含み、それぞれ、好適な変調方式および符号化率、好適なプレコーディング行列、好適なＰＭＩのタイプ、好適なランクを指定する（表現する）ために用いられてもよい。なお、各Ｉｎｄｉｃａｔｏｒは、Ｉｎｄｉｃａｔｉｏｎと表記されてもよい。また、ＣＱＩおよびＰＭＩには、１つのセル内のすべてのリソースブロックを用いたチャネル送信を想定したワイドバンドＣＱＩおよびＰＭＩと、１つのセル内の一部の連続するリソースブロック（サブバンド）を用いたチャネル送信を想定したサブバンドＣＱＩおよびＰＭＩとに分類されてもよい。また、ＰＭＩは、１つのＰＭＩで１つの好適なプレコーディング行列を表現する通常のタイプのＰＭＩの他に、第１ＰＭＩと第２ＰＭＩの２種類のＰＭＩを用いて１つの好適なプレコーディング行列を表現するタイプのＰＭＩが存在してもよい。なお、ＲＲＭ測定（Radio Resource Management measurement）とは、
ＲＳＲＰの測定（RSRP measurement）、ＲＳＲＱの測定（RSRQ measurement）、ＲＳＳＩ測定（RSSI measurement）に関連する測定であってもよい。なお、ＲＲＭ測定はＣＲＳ、ＣＳＩ−ＲＳ、などの参照信号に基づいて行われてもよい。
【００４５】
図１１の様に基地局装置が複数の異なるサブキャリア間隔を用いている場合であっても、端末装置は下りリンク帯域幅を所定のサブキャリア間隔のチャネル送信を想定してＣＳＩ測定および／またはＲＲＭ測定を行ってもよい。なお、「下りリンク帯域幅を所定のサブキャリア間隔と想定してＣＳＩ測定および／またはＲＲＭ測定を行う」とは、下りリンク帯域幅全てにおいて所定のサブキャリア間隔が適用されていると想定してＣＳＩ測定お
よび／またはＲＲＭ測定を行うことである。ここで、所定のサブキャリア間隔は、事前に定義されてもよいし、基地局装置から明示的に通知されてもよい（Ｌ１もしくは上位層の信号を用いて通知（送信）されてもよい）し、端末装置によって判定されてもよい（暗示的に判定されてもよい）。
【００４６】
図１２は、本実施形態におけるＣＳＩ測定および／またはＲＲＭ測定の一例である。基地局装置が複数の異なるサブキャリア間隔を用いている場合、端末装置は所定のサブキャリア間隔が適用されている周波数帯域を用いてＣＳＩ測定および／またはＲＲＭ測定を行ってもよい。例えば、図１２の様に第１のサブキャリア間隔（サブキャリア帯域幅）と第２のサブキャリア間隔が下りリンク送信に用いられている場合は、第１のサブキャリア間隔が適用されている周波数帯域を用いてＣＳＩ測定および／またはＲＲＭ測定を行ってもよい。なお、ＣＳＩ測定および／またはＲＲＭ測定に用いられるサブキャリア間隔および／または周波数位置は、事前に定義されてもよいし、基地局装置から明示的に通知されてもよい（Ｌ１もしくは上位層の信号を用いて通知（送信）されてもよい）し、端末装置によって判定されてもよい（暗示的に判定されてもよい）。なお、ＣＳＩ測定および／またはＲＲＭ測定に用いられないサブキャリア間隔および／または周波数位置は、事前に定義されてもよいし、基地局装置から明示的に通知されてもよい（Ｌ１もしくは上位層の信号を用いて通知（送信）されてもよい）し、端末装置によって判定されてもよい（暗示的に判定されてもよい）。なお、ＣＳＩ測定および／またはＲＲＭ測定に用いられるサブキャリア間隔は、後述の要素（１）から要素（４）の一部または全部に基づいて決定されてもよい。なお、ＲＲＭ測定に関する測定オブジェクトに対するサブキャリア間隔は、後述の要素（１）から要素（４）の一部または全部に基づいて決定されてもよい。なお、ＲＲＭ測定に関する測定オブジェクトにはサブキャリア間隔に関連する情報が含まれてもよい。なお、ＲＲＭ測定に関する測定オブジェクトにはＣＰ（ＣＰ長）に関連する情報が含まれてもよい。なお、ＲＲＭ測定に関する測定オブジェクトには周波数位置に関連する情報（バンドを示す情報、オペレーティングバンドを示す情報、搬送波周波数を示す情報、など）が含まれてもよい。なお、ＲＲＭ測定に関する測定オブジェクトにはセルの識別に関連する情報（セルＩＤ、測定対象セルのＩＤ、など）が含まれてもよい。
【００４７】
図１３は、本実施形態におけるスケジューリング（セルフスケジューリング）の一例である。なお、本実施形態における「セルフスケジューリング」とは、例えば、図２において、制御情報を送信する領域が第ｘの領域内（ｘは任意の数）に存在し、該制御情報によって制御される領域が第ｘの領域内に存在することを意味している。すなわち、図２において、制御情報を送信する領域と該制御情報によって制御される領域が同じ第ｘの領域内に存在することを意味している。
【００４８】
図１３中の（１）に示されるスケジューリング（セルフスケジューリング）について説明する。（１）は、制御情報が送信される領域と制御情報以外が送信される領域のサブキャリア間隔が同じ例である。すなわち、制御情報が送信される領域（例えば、図１３中の領域１）と該制御情報によって制御される領域（例えば、図１３中の領域２）のサブキャリア間隔が同じである。なお、（１）においては、制御情報が送信される領域と該制御情報によって制御される領域のサブキャリア間隔が異なることが禁止されてもよい。
【００４９】
図１３中の（２）に示されるスケジューリング（セルフスケジューリング）について説明する。（２）は、制御情報が送信される領域と制御情報以外が送信される領域のサブキャリア間隔が異なる例である。すなわち、制御情報が送信される領域（例えば、図１３中の領域３）と該制御情報によって制御される領域（例えば、図１３中の領域４）のサブキャリア間隔が異なる。
【００５０】
図１４は、本実施形態におけるスケジューリング（クロススケジューリング）の一例で
ある。なお、本実施形態における「クロススケジューリング」とは、例えば、図２において、制御情報を送信する領域が第ｘの領域内（ｘは任意の数）に存在し、該制御情報によって制御される領域が第ｘの領域内（ｙはｘと異なる任意の数）に存在することを意味している。すなわち、図２において、制御情報を送信する領域と該制御情報によって制御される領域が異なる領域内に存在することを意味している。
【００５１】
図１４中の（１）に示されるスケジューリング（クロススケジューリング）について説明する。（１）は、制御情報が送信される領域と制御情報以外が送信される領域のサブキャリア間隔が異なる例である。すなわち、制御情報が送信される領域（例えば、図１４中の領域１）と該制御情報によって制御される領域（例えば、図１４中の領域２）のサブキャリア間隔が異なってもよい。
【００５２】
図１４中の（２）に示されるスケジューリング（クロススケジューリング）について説明する。（２）は、制御情報が送信される領域と制御情報以外が送信される領域のサブキャリア間隔が同じ例である。すなわち、制御情報が送信される領域（例えば、図１４中の領域３）と該制御情報によって制御される領域（例えば、図１４中の領域４）のサブキャリア間隔が同じ。なお、（２）においては、制御情報が送信される領域と該制御情報によって制御される領域のサブキャリア間隔が異なることが禁止されてもよい。例えば、図１４中の領域３から、図１４中の領域５を制御することが禁止されてもよい。
【００５３】
図１５は、本実施形態における同期信号送信方法の一例である。同期信号（Synchronization signal: SS）は、端末装置が下りリンクの周波数領域および時間領域の同期をとるために用いられる。なお、ＴＤＤ方式において、同期信号は無線フレーム内のサブフレーム０、１、５、６に配置されてもよい。ＦＤＤ方式において、同期信号は無線フレーム内のサブフレーム０と５に配置されてもよい。なお、同期信号は、プライマリー同期信号（Primary synchronization signal: PSS）とセカンダリー同期信号（Secondly synchronization signal: PSS）を含んでもよい。なお、同期信号が複数のサブキャリア間隔が適用
可能な周波数帯域で送信される場合であっても、該同期信号の送信に対して常に所定のサブキャリア間隔が適用されてもよい。なお、同期信号の送信に対して適用される所定のサブキャリア間隔は、後述の要素（１）から要素（４）の一部または全部に基づいて決定されてもよい。
【００５４】
図１６は、本実施形態におけるマルチキャストデータ送信方法の一例である。マルチキャストデータ送信は、ＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）に関連する送信であってもよい。例えば、マルチキャストデータ送信は、ＭＢＳＦＮサブフレームを送信することであってもよい。端末装置は複数のＭＢＳＦＮグループに分けられてもよい。なお、ＭＢＳＦＮグループは、端末装置が興味のあるサービスに基づいて分けられてもよい。なお、ＭＢＳＦＮグループは、端末装置が興味のあるサービスの要求条件に基づいて分けられてもよい。なお、ＭＢＳＦＮグループ毎に適用されるサブキャリア間隔が異なってもよい。例えば、ＭＢＳＦＮグループ１には第１のサブキャリア間隔が適用され、ＭＢＳＦＮグループ２には第２のサブキャリア間隔が適用され、・・・、ＭＢＳＦＮグループｘには第ｘのサブキャリア間隔が適用されてもよい。なお、複数のＭＢＳＦＮグループは周波数多重されてもよいし、時間多重されてもよいし、符号多重されてもよい。なお、ＭＢＳＦＮグループのためのサブキャリア間隔は、後述の要素（１）から要素（４）の一部または全部に基づいて決定されてもよい。端末装置は、ＭＢＳＦＮグループのためのサブキャリア間隔に基づいて、ＭＢＳＦＮグループ、ＭＢＳＦＮグループに対応するセルを選択してもよい。
【００５５】
図２２は、本実施形態に係る基地局装置のブロック構成の一例を示す概略図である。基
地局装置は、上位層（上位層制御情報通知部、上位層処理部）２２０１、制御部（基地局制御部）２２０２、コードワード生成部２２０３、下りリンクサブフレーム生成部２２０４、ＯＦＤＭ信号送信部（下りリンク送信部）２２０６、送信アンテナ（基地局送信アンテナ）２２０７、受信アンテナ（基地局受信アンテナ）２２０８、ＳＣ−ＦＤＭＡ信号受信部（ＣＳＩ受信部）２２０９、上りリンクサブフレーム処理部２２１０を有する。下りリンクサブフレーム生成部２２０４は、下りリンク参照信号生成部２２０５を有する。また、上りリンクサブフレーム処理部２２１０は、上りリンク制御情報抽出部（ＣＳＩ取得部）２２１１を有する。なお、送信アンテナ２２０７は基地局送信アンテナ２２０７と称されてもよく、受信アンテナ２２０８は基地局受信アンテナ２２０８と称されてもよい。
【００５６】
図２３は、本実施形態に係る端末装置のブロック構成の一例を示す概略図である。端末装置は、受信アンテナ（端末受信アンテナ）２３０１、ＯＦＤＭ信号受信部（下りリンク受信部）２３０２、下りリンクサブフレーム処理部２３０３、トランスポートブロック抽出部（データ抽出部）２３０５、制御部（端末制御部）２３０６、上位層（上位層制御情報取得部、上位層処理部）２３０７、チャネル状態測定部（ＣＳＩ生成部）２３０８、上りリンクサブフレーム生成部２３０９、ＳＣ−ＦＤＭＡ信号送信部（ＵＣＩ送信部）２３１１および２３１２、送信アンテナ（端末送信アンテナ）２３１３および２３１４を有する。下りリンクサブフレーム処理部２３０３は、下りリンク参照信号抽出部２３０４を有する。また、上りリンクサブフレーム生成部２３０９は、上りリンク制御情報生成部（ＵＣＩ生成部）２３１０を有する。なお、送信アンテナ２３１３は端末送信アンテナ２３１３と称されてもよく、なお、送信アンテナ２３１４は端末送信アンテナ２３１４と称されてもよく、受信アンテナ２３０１は端末受信アンテナ２３０１と称されてもよい。
【００５７】
まず、図２２および図２３を用いて、下りリンクデータの送受信の流れについて説明する。基地局装置において、制御部２２０２は、下りリンクにおける変調方式および符号化率などを示すＭＣＳ（Ｍｏｄｕｌａｔｉｏｎ  ａｎｄ  Ｃｏｄｉｎｇ  Ｓｃｈｅｍｅ）、データ送信に用いるＲＢを示す下りリンクリソース割り当て、ＨＡＲＱの制御に用いる情報（リダンダンシーバージョン、ＨＡＲＱプロセス番号、新データ指標）を保持し、これらに基づいてコードワード生成部２２０３や下りリンクサブフレーム生成部２２０４を制御する。上位層２２０１から送られてくる下りリンクデータ（下りリンクトランスポートブロックとも称す）は、コードワード生成部２２０３において、制御部２２０２の制御の下で、誤り訂正符号化やレートマッチング処理などの処理が施され、コードワードが生成される。１つのセルにおける１つのサブフレームにおいて、最大２つのコードワードが同時に送信される。下りリンクサブフレーム生成部２２０４では、制御部２２０２の指示により、下りリンクサブフレームが生成される。まず、コードワード生成部２２０３において生成されたコードワードは、ＰＳＫ（Ｐｈａｓｅ  Ｓｈｉｆｔ  Ｋｅｙｉｎｇ）変調やＱＡＭ（Ｑｕａｄｒａｔｕｒｅ  Ａｍｐｌｉｔｕｄｅ  Ｍｏｄｕｌａｔｉｏｎ）変調などの変調処理により、変調シンボル系列に変換される。また、変調シンボル系列は、一部のＲＢ内のＲＥにマッピングされ、プレコーディング処理によりアンテナポート毎の下りリンクサブフレームが生成される。このとき、上位層２２０１から送られてくる送信データ系列は、上位層における制御情報（例えば専用（個別）ＲＲＣ（Ｒａｄｉｏ  Ｒｅｓｏｕｒｃｅ  Ｃｏｎｔｒｏｌ）シグナリング）である上位層制御情報を含む。また、下りリンク参照信号生成部２２０５では、下りリンク参照信号が生成される。下りリンクサブフレーム生成部２２０４は、制御部２２０２の指示により、下りリンク参照信号を下りリンクサブフレーム内のＲＥにマッピングする。下りリンクサブフレーム生成部２２０４で生成された下りリンクサブフレームは、ＯＦＤＭ信号送信部２２０６においてＯＦＤＭ信号に変調され、送信アンテナ２２０７を介して送信される。なお、ここではＯＦＤＭ信号送信部２２０６と送信アンテナ２２０７を一つずつ有する構成を例示しているが、複数のアンテナポートを用いて下りリンクサブフレームを送信する場合は、ＯＦＤＭ信号送信部２２０６と送信アンテナ２２０７とを複数有する構成であってもよい。また、下りリンクサブ
フレーム生成部２２０４は、ＰＤＣＣＨやＥＰＤＣＣＨなどの物理層の下りリンク制御チャネルを生成して下りリンクサブフレーム内のＲＥにマッピングする能力も有することができる。複数の基地局装置（基地局装置−１および基地局装置−２）は、それぞれ個別の下りリンクサブフレームを送信する。なお、受信アンテナ２２０８は、ＳＣ−ＦＤＭＡ信号およびＣＳＩを受信し、ＳＣ−ＦＤＭＡ信号受信部２２０９へ受信した信号を伝達する。更に、ＳＣ−ＦＤＭＡ信号受信部２２０９は、上りリンクサブフレーム処理部２２１０へデータを伝達する。そして、上りリンクサブフレーム処理部２２１０は、上りリンク制御情報抽出部２２１１において上りリンク制御情報を抽出する。
【００５８】
端末装置では、受信アンテナ２３０１を介して、ＯＦＤＭ信号受信部２３０２においてＯＦＤＭ信号が受信され、ＯＦＤＭ復調処理が施される。下りリンクサブフレーム処理部２３０３は、まずＰＤＣＣＨやＥＰＤＣＣＨなどの物理層の下りリンク制御チャネルを検出する。より具体的には、下りリンクサブフレーム処理部２３０３は、ＰＤＣＣＨやＥＰＤＣＣＨが割り当てられ得る領域においてＰＤＣＣＨやＥＰＤＣＣＨが送信されたものとしてデコードし、予め付加されているＣＲＣ（Ｃｙｃｌｉｃ  Ｒｅｄｕｎｄａｎｃｙ  Ｃｈｅｃｋ）ビットを確認する（ブラインドデコーディング）。すなわち、下りリンクサブフレーム処理部２３０３は、ＰＤＣＣＨやＥＰＤＣＣＨをモニタリングする。ＣＲＣビットが予め基地局装置から割り当てられたＩＤ（Ｃ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）、ＳＰＳ−Ｃ−ＲＮＴＩ（Ｓｅｍｉ  Ｐｅｒｓｉｓｔｅｎｔ  Ｓｃｈｅｄｕｌｉｎｇ―Ｃ−ＲＮＴＩ）など１つの端末に対して１つ割り当てられる端末固有識別子、あるいはＴｅｍｐｏｒａｌｙ  Ｃ−ＲＮＴＩ）と一致する場合、下りリンクサブフレーム処理部２３０３は、ＰＤＣＣＨあるいはＥＰＤＣＣＨを検出できたものと認識し、検出したＰＤＣＣＨあるいはＥＰＤＣＣＨに含まれる制御情報を用いてＰＤＳＣＨを取り出す。制御部２２０２は、制御情報に基づく下りリンクにおける変調方式および符号化率などを示すＭＣＳ、下りリンクデータ送信に用いるＲＢを示す下りリンクリソース割り当て、ＨＡＲＱの制御に用いる情報を保持し、これらに基づいて下りリンクサブフレーム処理部２３０３やトランスポートブロック抽出部２３０５などを制御する。より具体的には、制御部２２０２は、下りリンクサブフレーム生成部２２０４におけるＲＥマッピング処理や変調処理に対応するＲＥデマッピング処理や復調処理などを行うように制御する。受信した下りリンクサブフレームから取り出されたＰＤＳＣＨは、トランスポートブロック抽出部２３０５に送られる。また、下りリンクサブフレーム処理部２３０３内の下りリンク参照信号抽出部２３０４は、下りリンクサブフレームから下りリンク参照信号を取り出す。トランスポートブロック抽出部２３０５では、コードワード生成部２２０３におけるレートマッチング処理、誤り訂正符号化に対応するレートマッチング処理、誤り訂正復号化などが施され、トランスポートブロックが抽出され、上位層２２０１に送られる。トランスポートブロックには、上位層制御情報が含まれており、上位層２２０１は上位層制御情報に基づいて制御部２２０２に必要な物理層パラメータを知らせる。なお、複数の基地局装置（基地局装置−１および基地局装置−２）は、それぞれ個別の下りリンクサブフレームを送信しており、端末装置ではこれらを受信するため、上述の処理を複数の基地局装置毎の下りリンクサブフレームに対して、それぞれ行うようにしてもよい。このとき、端末装置は複数の下りリンクサブフレームが複数の基地局装置から送信されていると認識してもよいし、認識しなくてもよい。認識しない場合、端末装置は、単に複数のセルにおいて複数の下りリンクサブフレームが送信されていると認識するだ��でもよい。また、トランスポートブロック抽出部２３０５では、トランスポートブロックが正しく検出できたか否かを判定し、判定結果は制御部２２０２に送られる。
【００５９】
次に、上りリンク信号の送受信の流れについて説明する。端末装置では制御部２３０６の指示の下で、下りリンク参照信号抽出部２３０４で抽出された下りリンク参照信号がチャネル状態測定部２３０８に送られ、チャネル状態測定部２３０８においてチャネル状態
および／または干渉が測定され、さらに測定されたチャネル状態および／または干渉に基づいて、ＣＳＩが算出される。また、制御部２３０６は、トランスポートブロックが正しく検出できたか否かの判定結果に基づいて、上りリンク制御情報生成部２３１０にＨＡＲＱ−ＡＣＫ（ＤＴＸ（未送信）、ＡＣＫ（検出成功）またはＮＡＣＫ（検出失敗））の生成および下りリンクサブフレームへのマッピングを指示する。端末装置は、これらの処理を複数のセル毎の下りリンクサブフレームに対して、それぞれ行う。上りリンク制御情報生成部２３１０では、算出されたＣＳＩおよび／またはＨＡＲＱ−ＡＣＫを含むＰＵＣＣＨが生成される。上りリンクサブフレーム生成部２３０９では、上位層２３０７から送られる上りリンクデータを含むＰＵＳＣＨと、上りリンク制御情報生成部２３１０において生成されるＰＵＣＣＨとが上りリンクサブフレーム内のＲＢにマッピングされ、上りリンクサブフレームが生成される。上りリンクサブフレームは、ＳＣ−ＦＤＭＡ信号送信部２３１１において、ＳＣ−ＦＤＭＡ変調が施されＳＣ−ＦＤＭＡ信号が生成され、送信アンテナ２３１３を介して送信される。
【００６０】
例えば、本実施形態において、以下の信号の一部または全部が送信されてもよい。なお、以下の信号の一部または全部は下りリンクで送信されてもよい。なお、以下の信号の一部または全部は上りリンクで送信されてもよい。なお、以下の信号の一部または全部は下りリンクと上りリンクの両方で送信されてもよい。
・同期に関連する信号
・初期アクセスに関連する信号
・制御に関連する信号
・データに関する信号
・参照信号
【００６１】
なお、上記信号の一部または全部は基地局装置から１つの端末装置および／または１つの他の基地局装置のために送られてもよい。すなわち、ある時間において、上記信号の一部または全部は基地局装置から１つの端末装置および／または１つの他の基地局装置のために送られてもよい。なお、「ある時間において」は、ある無線フレームにおいて、あるサブフレームにおいて、あるスロットにおいて、あるシンボルにおいて、などに換言することができる。
【００６２】
なお、上記信号の一部または全部は基地局装置から複数の端末装置および／または複数の他の基地局装置のために送られてもよい。すなわち、ある時間において、上記信号の一部または全部は基地局装置から複数の端末装置および／または複数の他の基地局装置のために送られてもよい。なお、「ある時間において」は、ある無線フレームにおいて、あるサブフレームにおいて、あるスロットにおいて、あるシンボルにおいて、などに換言することができる。なお、「複数の端末装置および／または複数の他の基地局装置のために送られる」とは、上記信号の一部または全部が複数の端末装置および／または複数の他の基地局装置に対して、時間多重される（時分割多重される）ことであってもよいし、周波数多重される（周波数分割多重される）ことであってもよいし、空間多重されることであってもよいし、コード多重される（符号多重される）ことであってもよい。なお、「ある時間において」は、ある無線フレームにおいて、あるサブフレームにおいて、あるスロットにおいて、あるシンボルにおいて、などに換言することができる。
【００６３】
なお、上記信号の一部または全部と共に、上記信号の一部または全部のための参照信号が送信されてもよい。なお、参照信号は、上記信号の一部または全部と関連してもよい。なお、参照信号は、上記信号の一部または全部と対応してもよい。なお、参照信号は、上記信号の一部または全部のために異なってもよい（独立であってもよい）。例えば、第１の信号のために第１の参照信号が送信され、第２の信号のために第２の参照信号が送信され、…、第ｘの信号のために第ｘの参照信号が送信されてもよい。なお、参照信号は複数
の信号のために共通であってもよい、例えば、第１の信号のために第１の参照信号が送信され、第２の信号のために第１の参照信号が送信され、第３の信号のために第３の参照信号が送信されてもよい。なお、参照信号は、関連する信号と同じ時間および／または周波数で送信されてもよい。例えば、参照信号は、関連する信号と同じ無線フレーム、関連する信号と同じサブフレーム、関連する信号と同じスロット、関連する信号と同じシンボル、関連する信号と同じ搬送波周波数、関連する信号と同じバンド、関連する信号と同じサブキャリア、などで送信されてもよい。なお、参照信号は、関連する信号の伝搬路補正を行なうために用いられてもよい。なお、参照信号は、関連する信号の伝搬路情報（チャネル状態情報）を算出するために用いられてもよい。なお、参照信号は、関連する信号を復調するために用いられてもよい。なお、参照信号は、下りリンク参照信号（下りリンクで送信される参照信号）と上りリンク参照信号（上りリンクで送信される参照信号）で区別されてもよい。なお、参照信号は、複数の端末装置のために共通で送信されてもよいし、端末装置のために個別で送信されてもよい。
【００６４】
なお、上記信号の一部または全部に対して、ＣＰ（Cyclic Prefix、ガードインターバ
ル）が適用されてもよい。なお、「ＣＰが適用される」とは、ＣＰが送信されること、ＣＰが付加されること、関連する信号に対してＣＰが適用されること、関連する信号に対して該信号のためのＣＰが適用されること、であってもよい。なお、ＣＰは長さによって区別されてもよい。例えば、拡張ＣＰ（Extended CP、Long CP）、ノーマルＣＰ（Normal CP、Regular CP）、ショートＣＰ（Short CP）などと区別されてもよい。
【００６５】
なお、本実施形態における「信号」は、無線リソース、リソース、チャネル、物理チャネル、論理チャネル、キャリア、周波数、搬送波周波数、バンド、帯域幅、電波、信号波形、無線フレーム、フレーム、サブフレーム、スロット、リソースブロック、リソースブロックのセット、リソースエレメント、リソースエレメントのセット、シンボル、シンボルのセット、ＯＦＤＭシンボル、ＤＦＴ−Ｓ−ＯＦＤＭシンボル（ＳＣＦＤＭＡシンボル）、サブキャリア、サブフレーム、セル、サービングセル、トランスポートブロック、ＴＴＩ（Transmission Time Interval）、などに換言することができる。
【００６６】
また、本実施形態において、無線リソース、リソース、チャネル、物理チャネル、論理チャネル、キャリア、周波数、搬送波周波数、バンド、帯域幅、電波、信号波形、無線フレーム、フレーム、サブフレーム、スロット、リソースブロック、リソースブロックのセット、リソースエレメント、リソースエレメントのセット、シンボル、シンボルのセット、ＯＦＤＭシンボル、ＤＦＴ−Ｓ−ＯＦＤＭシンボル（ＳＣＦＤＭＡシンボル）、サブキャリア、サブフレーム、セル、サービングセル、トランスポートブロック、ＴＴＩ（Transmission Time Interval）、などを「信号」に換言することも当然可能である。
【００６７】
上記一部または全部の信号のそれぞれは、所定のサブキャリア間隔で送信されてもよい。なお、「所定のサブキャリア間隔」は事前に定義されたサブキャリア間隔（Predefinedサブキャリア間隔）と称されてもよい。なお、「サブキャリア間隔」は、「サブキャリア帯域幅」、「サブキャリア帯域」、「サブキャリア周波数」、「サブキャリアスペーシング」、などに換言することができる。
【００６８】
例えば、上記所定のサブキャリア間隔は、以下の要素（１）から要素（４）の一部または全部に基づいて決定されてもよい。また、上記所定のサブキャリア間隔は、以下の要素（１）から要素（４）の何れの組み合わせに基づいて決定されてもよい。なお、本実施形態においては説明のため「要素」と称しているが、「要素」は「条件」、「要件」、「要因」、「因子」、などに換言することができる。なお、本実施形態における「決定」は、「設定」、「通知」、「送信」、「適応」、などに換言することができる。
・要素（１）：仕様によって定義（既定、define、specify）される
・要素（２）：明示的に設定および／または指示される
・要素（３）：暗示的に設定および／または指示される
・要素（４）：端末装置の能力情報（端末装置の能力情報に基づいて設定および／または指示される）
【００６９】
なお、要素（２）は、明示的に通知される情報に基づいて設定および／または指示されることであってもよい。
【００７０】
なお、要素（３）は、暗示的に通知される情報に基づいて設定および／または指示されることであってもよい。
【００７１】
なお、要素は、要素（１）から要素（４）に限られるものではなく、要素（１）から要素（４）と別の要素を用いてもよいし、要素（１）から要素（４）の一部を用いてもよい。
【００７２】
要素（１）に基づくサブキャリア間隔決定方法の一例を示す。
【００７３】
要素（１）における「仕様によって定義（既定、define、specify）される」とは、「
予め定義される」、「仕様によって予め定義される」、「仕様によって制限されている」、「仕様によって許可されている」、などに換言することができる。なお、「仕様」は、「仕様書」、「規格」、「規格書」、などに換言することができる。
【００７４】
要素（１）における適用可能なサブキャリア間隔は図１７の様なテーブルで定義されてもよい。なお、定義されているサブキャリア間隔の内、何れのサブキャリア間隔が適用されるかは、要素（１）から要素（４）の一部または全部に基づいて決定されてもよい。例えば、図１７のテーブルのインデックス（インデックス番号）を基地局装置から端末装置へ通知することで、端末装置は適用されるサブキャリア間隔を知ってもよい。
【００７５】
要素（１）における適用可能なサブキャリア間隔はオペレーションモードと関係してもよい。例えば、オペレーションモードは図１８の様なテーブルで定義されてもよい。なお、何れのオペレーションモードが適用されるかは、要素（１）から要素（４）の一部または全部に基づいて決定されてもよい。例えば、図１８のテーブルのインデックス（インデックス番号）を基地局装置から端末装置へ通知することで、端末装置は適用されるオペレーションモードを知ってもよい。なお、端末装置は適用されるオペレーションモードを知ることは、オペレーションモードが端末装置に設定されること、であってもよい。
【００７６】
要素（１）における適用可能なサブキャリア間隔は、複数存在してもよい。すなわち、要素（１）における適用可能なサブキャリア間隔は、「適用可能なサブキャリア間隔のセット」として定義されてもよい。例えば、適用可能なサブキャリア間隔のセットは、図１９の様なテーブルで管理されてもよい。例えば、図１９のテーブルのインデックス（インデックス番号）を基地局装置から端末装置へ通知することで、端末装置は適用可能なサブキャリア間隔のセットを知ってもよい。なお、上述したように適用可能なサブキャリア間隔はオペレーションモードと関係してもよい。更に、適用可能なサブキャリア間隔のセットのうち、要素（１）から要素（４）の一部または全部に基づいて、適用可能なサブキャリア間隔（適用可能なサブキャリア間隔のセットの内、実際に適用されるサブキャリア間隔）が決定されてもよい。
【００７７】
要素（１）における適用可能なサブキャリア間隔はオペレーティングバンドと関係してもよい。例えば、オペレーティングバンドは図２０の様なテーブルで定義されてもよい。なお、何れのオペレーティングバンドが適用されるかは、要素（１）から要素（４）の一
部または全部に基づいて決定されることが好ましい。例えば、図２０のテーブルのインデックス（インデックス番号、オペレーティングバンドを管理する番号、オペレーティングバンドの番号を示すインデックス）を基地局装置から端末装置へ通知することで、端末装置は適用されるオペレーティングバンドを知ってもよい。換言すると、図２０のテーブルのインデックスを基地局装置から端末装置へ通知することで、端末装置は適用可能なサブキャリア間隔を知ってもよい。換言すると、端末装置は設定されたオペレーティングバンドを示す情報に基づいて（暗示的に）適用可能なサブキャリア間隔を知ってもよい。なお、端末装置は適用されるオペレーティングバンドを知ることは、端末装置にオペレーティングバンドが設定されること、端末装置が該オペレーティングバンドを用いて通信を行うこと、などであってもよい。
【００７８】
なお、１つのオペレーティングバンドに適用可能なサブキャリア間隔は、複数存在してもよい。すなわち、１つのオペレーティングバンドに対して「適用可能なサブキャリア間隔のセット」が定義されてもよい。例えば、１つのオペレーティングバンドに対して適用可能なサブキャリア間隔のセットは、図２１の様なテーブルで管理されてもよい。例えば、図２１のテーブルのインデックス（インデックス番号、オペレーティングバンドを管理する番号、オペレーティングバンドの番号を示すインデックス）を基地局装置から端末装置へ通知することで、端末装置は適用されるオペレーティングバンドを知ってもよい。換言すると、図２１のテーブルのインデックスを基地局装置から端末装置へ通知することで、端末装置は適用可能なサブキャリア間隔のセットを知ってもよい。換言すると、端末装置は設定されたオペレーティングバンドを示す情報に基づいて（暗示的に）適用可能なサブキャリア間隔のセットを知ってもよい。更に、適用可能なサブキャリア間隔のセットのうち、要素（１）から要素（４）の一部または全部に基づいて、適用可能なサブキャリア間隔（適用可能なサブキャリア間隔のセットの内、実際に適用されるサブキャリア間隔）が決定されてもよい。
【００７９】
なお、上りリンクのオペレーティングバンドと下りリンクのオペレーティングバンドで独立に適用可能なサブキャリア間隔が定義されてもよい。例えば、図２４の様なテーブルで管理されてもよい。例えば、第１のオペレーティングバンドには第１の上りリンクのオペレーティングバンドと第１の下りリンクのオペレーティングバンドが対応し、第１の上りリンクのオペレーティングバンドに適用可能なサブキャリア間隔は第１のサブキャリア間隔であり、第１の下りリンクのオペレーティングバンドに適用可能なサブキャリア間隔は第２のサブキャリア間隔であってもよい。
【００８０】
なお、上りリンクのオペレーティングバンドと下りリンクのオペレーティングバンドで独立に適用可能なサブキャリア間隔のセットが定義されてもよい。例えば、図２５の様なテーブルで管理されてもよい。例えば、第１のオペレーティングバンドには第１の上りリンクのオペレーティングバンドと第１の下りリンクのオペレーティングバンドが対応し、第１の上りリンクのオペレーティングバンドに適用可能なサブキャリア間隔のセットは第１のサブキャリア間隔のセットであり、第１の下りリンクのオペレーティングバンドに適用可能なサブキャリア間隔のセットは第２のサブキャリア間隔のセットであってもよい。なお、第１のサブキャリア間隔のセットと第２のサブキャリア間隔のセットに含まれるサブキャリア間隔は重複してもよい。
【００８１】
例えば、オペレーティングバンドが図２０、図２１、図２４、図２５の様なテーブルで管理される場合、オペレーティングバンドはテーブルで管理されることが好ましく、テーブルで管理される各オペレーティングバンドには、対応するインデックスが与えられる。該インデックスには、対応するアップリンクオペレーティングバンドとダウンリンクオペレーティングバンドとデュプレックスモードが紐付けられる。なお、アップリンクオペレーティングバンドは基地局装置における受信および端末装置における送信に使用されるオ
ペレーティングバンドであり、ダウンリンクオペレーティングバンドは基地局装置における送信および端末装置における受信に使用されるオペレーティングバンドである。なお、アップリンクオペレーティングバンドとダウンリンクオペレーティングバンドは、それぞれ下限の周波数と上限の周波数（対応する周波数帯）で与えられることが好ましい。なお、デュプレックスモードはＴＤＤまたはＦＤＤで与えられることが好ましい。なお、デュプレックスモードは、ＴＤＤとＦＤＤ以外であってもよい。例えば、デュプレックスモードは、送信バースト（少なくともダウンリンクバーストを含む、アップリンクバーストを含むか否かは任意）であってもよい。なお、テーブルのデュプレックスモードはフレーム構成タイプ（Frame structure type）であってもよい。なお、フレーム構成タイプ１（Frame structure type 1）は周波数分割複信（Frequency Division Duplex、ＦＤＤ）に適
用できる。フレーム構成タイプ２（Frame structure type 2）は時分割複信（Time Division Duplex、ＴＤＤ）に適用できる。フレーム構成タイプ３は、ＬＡＡ（Licensed Assisted Access）セルのオペレーションまたはＬＡＡ（Licensed Assisted Access）セカンダリーセルのオペレーションに対して適用できる。
【００８２】
なお、オペレーティングバンドを示す情報に基づいて適用されるサブキャリア間隔または適用可能なサブキャリア間隔のセットを通知する一例を示したが、図２０、図２１、図２４、図２５の様なテーブルで管理される何れのパラメータを示すことに関連する情報に基づいて、適用されるサブキャリア間隔または適用可能なサブキャリア間隔のセットを通知してもよい。例えば、上りリンクオペレーティングバンドを示す情報を通知し、該上りリンクオペレーティングバンドを示す情報に基づいて、適用されるサブキャリア間隔または適用可能なサブキャリア間隔のセットを通知してもよい。例えば、下りリンクオペレーティングバンドを示す情報を通知し、該下りリンクオペレーティングバンドを示す情報に基づいて、適用されるサブキャリア間隔または適用可能なサブキャリア間隔のセットを通知してもよい。例えば、デュプレックスモードまたはフレーム構成タイプを示す情報を通知し、該デュプレックスモードまたはフレーム構成タイプを示す情報に基づいて、適用されるサブキャリア間隔または適用可能なサブキャリア間隔のセットを通知してもよい。
【００８３】
例えば、オペレーティングバンドが図２０、図２１、図２４、図２５の様なテーブルで管理される場合、インデックス“１”からインデックス“４４”に対応するオペレーティングバンドはライセンスドバンド（ＬＡＡでないバンド）であってもよく、インデックス“４５”に対応するオペレーティングバンドはアンライセンスドバンド（ＬＡＡのバンド）であってもよい。
【００８４】
なお、図示はしていないが図２０、図２１、図２４、図２５には他のオペレーティングバンドが含まれてもよい。例えば、インデックス“２５２”からインデックス“２５５”に対応するオペレーティングバンドはアンライセンスドバンド（ＬＡＡのバンド）であってもよい。なお、インデックス“２５２”には、アップリンクオペレーティングバンドが適用されず（n/a, not applicable）、ダウンリンクオペレーティングバンドに５１５０
ＭＨｚ−５２５０Ｈｚが適用され、デュプレックスモードにＦＤＤが適用されることが好ましい。また、インデックス“２５３”には、アップリンクオペレーティングバンドが予約され（将来使用されるものとして予約され）、ダウンリンクオペレーティングバンドが予約され、デュプレックスモードにＦＤＤが適用されることが好ましい。また、インデックス“２５４”には、アップリンクオペレーティングバンドが予約され（将来使用されるものとして予約され）、ダウンリンクオペレーティングバンドが予約され、デュプレックスモードにＦＤＤが適用されることが好ましい。なお、インデックス“２５５”には、アップリンクオペレーティングバンドが適用されず（n/a, not applicable）、ダウンリン
クオペレーティングバンドに５７２５ＭＨｚ−５８５０Ｈｚが適用され、デュプレックスモードにＦＤＤが適用されることが好ましい。なお、５１５０ＭＨｚ−５２５０Ｈｚと５７２５ＭＨｚ−５８５０Ｈｚはアンライセンスドバンド（ＬＡＡのバンド）であることが
好ましい。
【００８５】
なお、「オペレーティングバンド」は、「バンド」、「周波数」、「搬送波周波数」、などに換言することができる。
【００８６】
適用可能なサブキャリア間隔は周波数領域において定義されてもよい。換言すると、適用可能なサブキャリア間隔は周波数領域において制限されてもよい。例えば、搬送波周波数に対して適用可能なサブキャリア間隔が仕様によって定義されてもよい。また、搬送波周波数に対して適用可能なサブキャリア間隔が複数ある場合は、搬送波周波数に対して適用可能なサブキャリア間隔のセットが仕様によって定義されてもよい。なお、「適用可能なサブキャリア間隔のセット」には、搬送波周波数に対して適用可能なサブキャリア間隔の全部または一部が含まれてもよい。なお、適応可能なサブキャリア間隔は、搬送波周波数ごとに独立で定義されてもよい。なお、適応可能なサブキャリア間隔のセットは、搬送波周波数ごとに独立で定義されてもよい。
【００８７】
なお、「搬送波周波数」は、無線リソース、リソース、チャネル、物理チャネル、論理チャネル、キャリア、周波数、バンド、帯域幅、電波、信号波形、無線フレーム、フレーム、サブフレーム、スロット、リソースブロック、リソースブロックのセット、リソースエレメント、リソースエレメントのセット、シンボル、シンボルのセット、ＯＦＤＭシンボル、ＤＦＴ−Ｓ−ＯＦＤＭシンボル（ＳＣＦＤＭＡシンボル）、サブキャリア、サブフレーム、セル、サービングセル、トランスポートブロック、ＴＴＩ（Transmission Time Interval）、などに換言することができる。
【００８８】
適用可能なサブキャリア間隔は時間領域において定義されてもよい。換言すると、適用可能なサブキャリア間隔は時間領域において制限されてもよい。例えば、時間領域で定義される単位（例えば、無線フレーム番号、サブフレーム番号、スロット番号、シンボル番号）に基づいて適用可能なサブキャリア間隔が仕様によって定義されてもよい。また、時間領域で定義される単位に対して適用可能なサブキャリア間隔が複数ある場合は、時間領域で定義される単位に対して適用可能なサブキャリア間隔のセットが仕様によって定義されてもよい。なお、「適用可能なサブキャリア間隔のセット」には、時間領域で定義される単位に対して適用可能なサブキャリア間隔の全部または一部が含まれてもよい。
【００８９】
なお、適用可能なサブキャリア間隔は周波数領域および時間領域において定義されてもよい。換言すると、適用可能なサブキャリア間隔は周波数領域および時間領域において制限されてもよい。
【００９０】
適用可能なサブキャリア間隔は、チャネルの種類および／または通信の種類（信号が運ぶ情報の種類）に対して定義されてもよい。換言すると、適用可能なサブキャリア間隔はチャネルおよび／または通信の種類（信号が運ぶ情報の種類）によって制限されてもよい。
【００９１】
例えば、第１のチャネルに対して適用可能なサブキャリア間隔（または第１のチャネルに対して適用可能なサブキャリア間隔のセット）が定義され、第２のチャネルに対して適用可能なサブキャリア間隔（または第２のチャネルに対して適用可能なサブキャリア間隔のセット）が定義され、・・・、第ｘのチャネルに対して適用可能なサブキャリア間隔（または第ｘのチャネルに対して適用可能なサブキャリア間隔のセット）が定義されてもよい。なお、上記第１のチャネルから第ｘのチャネルには、少なくとも、下記チャネルの一部または全部が含まれてもよい。
・下りリンク制御情報の送信に関連するチャネル（例えば、Pysical Downlink Control Channel、Enhanced Pysical Downlink Control Channel）
・上りリンク制御情報の送信に関連するチャネル（例えば、Physical Uplink Control Channel）
・下りリンクデータの送信に関連するチャネル（例えば、Pysical Downlink Shared Channel）
・上りリンクデータの送信に関連するチャネル（例えば、Physical Uplink Shared Channel）
・ランダムアクセスに関連するチャネル（例えば、Physical Random Access Channel）
・報知チャネル（例えば、Physical Broadcast Channel）
・制御に関連する情報が送信される領域を通知するための情報の送信に関連するチャネル（例えば、Physical Control Format Indicator Channel）
・受信したデータに対するＡＣＫ（ACKnowledgement）またはＮＡＣＫ（Negative ACKnowledgement）を示すＨＡＲＱインディケータ（ＨＡＲＱフィードバック、応答情報）の送
信に関連するチャネル（例えば、Physical Hybrid automatic repeat request Indicator
Channel）
・マルチキャストに関連するチャネル（例えば、Physical Multicast Channel）
【００９２】
なお、下りリンクデータは、下りリンクユーザーデータと称されてもよいし、上りリンクデータは、上りリンクユーザーデータと称されてもよい。
【００９３】
なお、下りリンクデータ、および／または、上りリンクデータは、単にデータまたはユーザーデータと称されてもよい。
【００９４】
また、チャネルに対して適用可能なサブキャリア間隔が複数ある場合は、チャネル対して適用可能なサブキャリア間隔のセットが仕様によって定義されてもよい。なお、「適用可能なサブキャリア間隔のセット」には、チャネル対して適用可能なサブキャリア間隔の全部または一部が含まれてもよい。
【００９５】
なお、「適用可能なサブキャリア間隔」は、「サブキャリア間隔の候補」、などに換言されてもよい。なお、「適用可能なサブキャリア間隔のセット」は、「サブキャリア間隔の候補のセット」、などに換言されてもよい。
【００９６】
なお、要素（１）に基づいて、適用可能なサブキャリア間隔が複数決定された場合（適用可能なサブキャリア間隔のセットが決定された場合）は、更に要素（１）から要素（４）の一部または全部に基づいて、適用可能なサブキャリア間隔（適用可能なサブキャリア間隔のセットの内、実際に適用されるサブキャリア間隔）が決定されてもよい。
【００９７】
要素（２）に基づくサブキャリア間隔決定方法の一例を示す。
【００９８】
ここで、要素（２）は、以下の要素（２−１）から要素（２−５）の一部または全部が含まれてもよい。また、要素（２）は、以下の要素（２−１）から要素（２−５）の何れの組み合わせに基づいて決定されてもよい。
・要素（２−１）：上位層の情報に基づいて設定および／または指示される
・要素（２−２）：報知される情報に基づいて設定および／または指示される
・要素（２−３）：物理層で送信される情報に基づいて設定および／または指示される
・要素（２−４）：端末装置のために個別に送信される情報に基づいて設定および／または指示される
・要素（２−５）：複数の端末装置のために共通で送信される情報に基づいて設定および／または指示される
【００９９】
なお、要素は、要素（２−１）から要素（２−５）に限られるものではなく、要素（２
−１）から要素（２−５）と別の要素を用いてもよいし、要素（２−１）から要素（２−５）の一部を用いてもよい。
【０１００】
要素（２−１）に基づくサブキャリア間隔決定方法の一例を示す。
【０１０１】
要素（２−１）における「上位層の情報」とは、上位層の情報、上位層で送信される情報、上位層からシグナリングされる情報、上位層シグナリング、上位層、などに換言することができる。なお、上位層は物理層よりも上位の層であることが好ましく、媒体アクセス制御（MAC: Medium Access Control）層または無線リソース制御（RRC: Radio Resource Control）層であってもよい。なお、上位層の情報は、専用のシグナリング（Dedicated
signaling）であってもよい。なお、「専用のシグナリング（Dedicated signaling）」
は、端末装置専用のシグナリング、専用のＲＲＣシグナリング（Dedicated RRC signaling）、であってもよい。
【０１０２】
要素（２−１）における「上位層の情報」は、無線リソース制御（RRC: Radio Resource Control）層において、ＲＲＣシグナリングを用いて送信してもよいし、媒体アクセス
制御（MAC: Medium Access Control）層において、ＭＡＣ  ＣＥを用いて送信してもよい。ここで、ＲＲＣシグナリング、および／または、ＭＡＣ  ＣＥを、上位層の信号（higher layer signaling）とも称する。ＲＲＣシグナリング、および／または、ＭＡＣ  ＣＥは、トランスポートブロックに含まれる。
【０１０３】
トランスポートブロック、および、そのトランスポートブロックのＨＡＲＱ再送信は、１つのサービングセルにマップされる。下りリンクにおけるトランスポートブロックは、ＤＬ−ＳＣＨ（DownLink Shared CHannel）で送信されるＭＡＣ層のデータであってもよ
い。
【０１０４】
なお、上りリンクにおいて、「トランスポートブロック」、「ＭＡＣ  ＰＤＵ（Protocol Data Unit）」、「ＭＡＣ層のデータ」、「ＤＬ−ＳＣＨ」、「ＤＬ−ＳＣＨデータ」、および、「上りリンクデータ」は、同一のものとする。
【０１０５】
例えば、上位層の情報は、適用可能なサブキャリア間隔に関する情報であってもよい。
【０１０６】
例えば、上位層の情報は、適用可能なサブキャリア間隔のセットに関する情報であってもよい。
【０１０７】
例えば、上位層の情報は、信号の送信に使用されるサブキャリア間隔に関する情報であってもよい。なお、「信号の送信に使用されるサブキャリア間隔に関する情報」、「信号の送信に使用されているサブキャリア間隔に関する情報」、「実際に信号の送信に使用されるサブキャリア間隔に関する情報」、「実際に信号の送信に使用されているサブキャリア間隔に関する情報」、などに換言することができる。
【０１０８】
例えば、上位層の情報は、要素（１）に基づく情報であってもよい。例えば、上位層で送信される情報は、仕様によって定義される情報であってもよい。
【０１０９】
なお、適用可能なサブキャリア間隔に関する情報は、搬送波周波数ごとに独立で送信および／または設定されてもよい。
【０１１０】
なお、要素（２−１）に基づいて、適用可能なサブキャリア間隔が複数決定された場合（適用可能なサブキャリア間隔のセットが決定された場合）は、更に要素（１）から要素（４）の一部または全部に基づいて、適用可能なサブキャリア間隔（適用可能なサブキャ
リア間隔のセットの内、実際に適用されるサブキャリア間隔）が決定されてもよい。
【０１１１】
要素（２−２）に基づくサブキャリア間隔決定方法の一例を示す。
【０１１２】
要素（２−２）における「報知される情報」とは、報知チャネル（例えば、Physical Broadcast Channel）で送信される情報、報知情報、ブロードキャストされる情報、ブロードキャスト情報、システムインフォメーションなどに換言することができる。なお、「報知される」とは、複数の端末装置に対して同じ情報（複数の端末装置において共通に用いられる情報）が送信されることであってもよい。
【０１１３】
なお、「報知」には、マスターインフォメーションブロック（Master Information Block: MIB, Broadcast Channel: BCH）が用いられることが好ましく、マスターインフォメ
ーションブロックは報知チャネル（例えば、Physical Broadcast Channel）または下りリンクユーザーデータの送信に関連するチャネル（例えば、Pysical Downlink Shared Channel）で送信されてもよい。
【０１１４】
なお、「報知」には、システムインフォメーションブロック（System Information Block: MIB, Broadcast Channel: BCH）が用いられることが好ましく、システムインフォメ
ーションブロックは報知チャネル（例えば、Physical Broadcast Channel）または下りリンクユーザーデータの送信に関連するチャネル（例えば、Pysical Downlink Shared Channel）で送信されてもよい。
【０１１５】
なお、報知される情報は、マルチキャストに関連するチャネル（例えば、例えば、Physical Multicast Channel）で送信されてもよい。
【０１１６】
例えば、報知される情報は、適用可能なサブキャリア間隔に関する情報であってもよい。
【０１１７】
例えば、報知される情報は、適用可能なサブキャリア間隔のセットに関する情報であってもよい。
【０１１８】
例えば、報知される情報は、信号の送信に使用されるサブキャリア間隔に関する情報であってもよい。なお、「信号の送信に使用されるサブキャリア間隔に関する情報」、「信号の送信に使用されているサブキャリア間隔に関する情報」、「実際に信号の送信に使用されるサブキャリア間隔に関する情報」、「実際に信号の送信に使用されているサブキャリア間隔に関する情報」、などに換言することができる。
【０１１９】
例えば、報知される情報は、要素（１）に基づく情報であってもよい。例えば、報知される情報は、仕様によって定義される情報であってもよい。
【０１２０】
なお、適用可能なサブキャリア間隔に関する情報は、搬送波周波数ごとに独立で送信および／または設定されてもよい。
【０１２１】
なお、要素（２−２）に基づいて、適用可能なサブキャリア間隔が複数決定された場合（適用可能なサブキャリア間隔のセットが決定された場合）は、更に要素（１）から要素（４）の一部または全部に基づいて、適用可能なサブキャリア間隔（適用可能なサブキャリア間隔のセットの内、実際に適用されるサブキャリア間隔）が決定されてもよい。
【０１２２】
要素（２−３）に基づくサブキャリア間隔決定方法の一例を示す。
【０１２３】
要素（２−３）における「物理層で送信される情報」とは、物理層の信号で送信される情報、物理チャネルで送信される情報、Ｌ１（Layer 1）で送信される情報、Ｌ１信号、
などに換言することができる。
【０１２４】
要素（２−３）における「物理層で送信される情報」は、下記チャネルの一部または全部で送信されてもよい。
・下りリンク制御情報の送信に関連するチャネル（例えば、Pysical Downlink Control Channel、Enhanced Pysical Downlink Control Channel）
・上りリンク制御情報の送信に関連するチャネル（例えば、Physical Uplink Control Channel）
・下りリンクユーザーデータの送信に関連するチャネル（例えば、Pysical Downlink Shared Channel）
・上りリンクユーザーデータの送信に関連するチャネル（例えば、Physical Uplink Shared Channel）
・ランダムアクセスに関連するチャネル（例えば、Physical Random Access Channel）
・報知チャネル（例えば、Physical Broadcast Channel）
・制御に関連する情報が送信される領域を通知するための情報の送信に関連するチャネル（例えば、Physical Control Format Indicator Channel）
・受信したデータに対するＡＣＫ（ACKnowledgement）またはＮＡＣＫ（Negative ACKnowledgement）を示すＨＡＲＱインディケータ（ＨＡＲＱフィードバック、応答情報）の送
信に関連するチャネル（例えば、Physical Hybrid automatic repeat request Indicator
Channel）
・マルチキャストに関連するチャネル（例えば、Physical Multicast Channel）
【０１２５】
なお、「チャネル」は、「信号」、「チャネルに関連する信号」、「チャネルを送信するための信号」、などに換言することができる。
【０１２６】
例えば、上記チャネルの一部または全部において、第１の情報が送信されてもよい。なお、第１の情報は、適用可能なサブキャリア間隔に関する情報および／または適用可能なサブキャリア間隔のセットに関する情報であってもよい。なお、第１の情報は、適用可能なサブキャリア間隔のセットの内、実際に適用されるサブキャリア間隔に関する情報であってもよい。
【０１２７】
例えば、上記チャネルの一部または全部において、第１の情報を送信が送信され、更に、上記チャネルの一部または全部において、第２の情報を送信が送信されてもよい。なお、第１の情報は、適用可能なサブキャリア間隔のセットに関する情報であり、第２の情報は、第１の情報で示される適用可能なサブキャリア間隔のセットの内、実際に適用されるサブキャリア間隔に関する情報であってもよい。なお、第１の情報は上位層の信号を用いて送信され、第２の情報は物理層の信号を用いて送信されてもよい。
【０１２８】
例えば、上記チャネルの一部または全部において、第１の情報が送信されてもよい。なお、第１の情報は、下りリンクの割り当て情報（下りリンクチャネルの割り当て情報、ＰＤＳＣＨの割り当て情報）または上りリンクの割り当て情報（上りリンクチャネルの割り当て情報、ＰＵＳＣＨの割り当て情報）であり、第１の情報が下りリンクの割り当て情報であるか上りリンクの割り当て情報であるかに基づいてサブキャリア間隔が特定されてもよい。換言すると、第１の情報が下りリンクの割り当て情報であった場合、前記第１の情報によって割当てられるチャネル（下りリンクのチャネル）には第１のサブキャリア間隔が適用され、第１の情報が上りリンクの割り当て情報であった場合、前記第１の情報によって割当てられるチャネル（上りリンクのチャネル）には第２のサブキャリア間隔が適用されてもよい。換言すると、チャネルの割り当て情報が、下りリンクチャネルの割り当て
か、否か（上りリンクの割り当てか）、に基づいて、該情報によって割当てられるチャネルに適用されるサブキャリア間隔が決定される（特定される）ことが好ましい。
【０１２９】
なお、第１の情報は、要素（１）に基づく情報であってもよい。例えば、第１の情報は、仕様によって定義される情報であってもよい。
【０１３０】
例えば、上記「第１の情報」は、下りリンク制御情報として送信されてもよい。なお、「下りリンク制御情報として送信される」とは、下りリンク制御情報のフォーマット（例えば、Downlink Control Information Format）に定義されるフィールド（例えば、Subcarrier-space indication field、Subcarrier-spacing indication field）にセットされ
送信されることであってもよい。なお、下りリンク制御情報のフォーマットは、下りリンク制御情報の送信に関連するチャネル（例えば、Pysical Downlink Control Channel、Enhanced Pysical Downlink Control Channel）で送信されてもよい。
【０１３１】
なお、下りリンク制御情報に第１の情報が含まれる場合、該下りリンク制御情報には、更に、下りリンクユーザーデータの送信に関連するチャネル（例えば、Pysical Downlink
Shared Channel）を割り当てるためのフィールド（Downlink assignment field）、および／または、上りリンクユーザーデータの送信に関連するチャネル（例えば、Physical Uplink Shared Channel）を割り当てるためのフィールド（Uplink assignment field）が
含まれてもよい。なお、上記下りリンクユーザーデータの送信に関連するチャネルを割り当てるためのフィールド、および／または、上記上りリンクユーザーデータの送信に関連するチャネルを割り当てるためのフィールドによって割当てられる下りリンクユーザーデータ、および／または、上りリンクデータの送信には、上記第１の情報で示されるサブキャリア間隔が適用されてもよい。
【０１３２】
換言すると、第１のチャネルで送信される第１の情報に基づいて、第２のチャネルのサブキャリア間隔が決定されてもよい。なお、第１のチャネルと第２のチャネルは同じであってもよい。
【０１３３】
なお、要素（２−３）に基づいて、適用可能なサブキャリア間隔が複数決定された場合（適用可能なサブキャリア間隔のセットが決定された場合）は、更に要素（１）から要素（４）の一部または全部に基づいて、適用可能なサブキャリア間隔（適用可能なサブキャリア間隔のセットの内、実際に適用されるサブキャリア間隔）が決定されてもよい。
【０１３４】
要素（２−４）に基づくサブキャリア間隔決定方法の一例を示す。
【０１３５】
要素（２−４）における「端末装置のために個別に送信される情報」とは、適用可能なサブキャリア間隔に関する情報であってもよい。
【０１３６】
要素（２−４）における「端末装置のために個別に送信される情報」とは、適用可能なサブキャリア間隔のセットに関する情報であってもよい。
【０１３７】
要素（２−４）における「端末装置のために個別に送信される情報」とは、信号の送信に使用されるサブキャリア間隔に関する情報であってもよい。なお、「信号の送信に使用されるサブキャリア間隔に関する情報」は、「信号の送信に使用されているサブキャリア間隔に関する情報」、「実際に信号の送信に使用されるサブキャリア間隔に関する情報」、「実際に信号の送信に使用されているサブキャリア間隔に関する情報」、などに換言することができる。
【０１３８】
要素（２−４）における「端末装置のために個別に送信される情報」とは、要素（１）
に基づく情報であってもよい。例えば、上位層で送信される情報は、仕様によって定義される情報であってもよい。
【０１３９】
なお、要素（２−４）に基づいて、適用可能なサブキャリア間隔が複数決定された場合（適用可能なサブキャリア間隔のセットが決定された場合）は、更に要素（１）から要素（４）の一部または全部に基づいて、適用可能なサブキャリア間隔（適用可能なサブキャリア間隔のセットの内、実際に適用されるサブキャリア間隔）が決定されてもよい。
【０１４０】
要素（２−５）に基づくサブキャリア間隔決定方法の一例を示す。
【０１４１】
要素（２−５）における「複数の端末装置のために共通で送信される情報」とは、適用可能なサブキャリア間隔に関する情報であってもよい。
【０１４２】
要素（２−５）における「複数の端末装置のために共通で送信される情報」とは、適用可能なサブキャリア間隔のセットに関する情報であってもよい。
【０１４３】
要素（２−５）における「複数の端末装置のために共通で送信される情報」とは、信号の送信に使用されるサブキャリア間隔に関する情報であってもよい。なお、「信号の送信に使用されるサブキャリア間隔に関する情報」は、「信号の送信に使用されているサブキャリア間隔に関する情報」、「実際に信号の送信に使用されるサブキャリア間隔に関する情報」、「実際に信号の送信に使用されているサブキャリア間隔に関する情報」、などに換言することができる。
【０１４４】
要素（２−５）における「複数の端末装置のために共通で送信される情報」とは、要素（１）に基づく情報であってもよい。例えば、上位層で送信される情報は、仕様によって定義される情報であってもよい。
【０１４５】
なお、要素（２−５）に基づいて、適用可能なサブキャリア間隔が複数決定された場合（適用可能なサブキャリア間隔のセットが決定された場合）は、更に要素（１）から要素（４）の一部または全部に基づいて、適用可能なサブキャリア間隔（適用可能なサブキャリア間隔のセットの内、実際に適用されるサブキャリア間隔）が決定されてもよい。
【０１４６】
要素（３）に基づくサブキャリア間隔決定方法の一例を示す。
【０１４７】
ここで、要素（３）は、以下の要素（３−１）から要素（３−６）の一部または全部が含まれてもよい。また、要素（３）は、以下の要素（３−１）から要素（３−６）の何れの組み合わせに基づいて決定されてもよい。
・要素（３−１）：ブラインド検出される情報に基づいて設定および／または指示される・要素（３−２）：サービスに基づいて（サービスに関連する情報に基づいて）設定および／または指示される
・要素（３−３）：ＬＣＩＤ（Logical Channel ID）に基づいて設定および／または指示される
・要素（３−４）：ベアラに基づいて設定および／または指示される
・要素（３−５）：バンド（搬送波周波数）に基づいて設定および／または指示される
・要素（３−６）：信号（チャネル）の送信パターンに基づいて設定および／または指示される
【０１４８】
なお、要素は、要素（３−１）から要素（３−６）に限られるものではなく、要素（３−１）から要素（３−６）と別の要素を用いてもよいし、要素（３−１）から要素（３−６）の一部を用いてもよい。
【０１４９】
要素（３−１）に基づくサブキャリア間隔決定方法の一例を示す。
【０１５０】
要素（３−１）における「ブラインド検出」とは、第１の信号がどのサブキャリア間隔で送信されるかと言う情報は、受信機（端末装置）において未知であり、受信機が事前情報無しで（ブラインドで）検出することを意味する。なお、「検出」は、「復号」、「復調」、「感知」、などに換言することができる。
【０１５１】
要素（３−１）における「ブラインド検出」とは、（モニタされる／可能性のある）サブキャリア間隔の候補のそれぞれに応じて信号（またはチャネル）の検出を試みることである。
【０１５２】
例えば、第１の信号のためのサブキャリア間隔は端末装置において未知であり、端末装置は事前情報無しで（ブラインドで）、第１の信号のためのサブキャリア間隔を検出する。例えば、端末装置は複数のサブキャリア間隔で第１の信号の受信を試み、あるサブキャリア間隔を用いて第１の信号の受信に成功した場合、該サブキャリア間隔を第１の信号の送信のために使用されているサブキャリア間隔であると検出（認識）する。
【０１５３】
また、第１の信号の送信に用いられる可能性があるサブキャリア間隔の候補（または、第１の信号の送信に用いられる可能性があるサブキャリア間隔の候補のセット）が決定および／または設定されてもよい。例えば、端末装置（受信機）は、前記決定および／または設定されたサブキャリア間隔の候補を用いて第１の信号の受信を試み、あるサブキャリア間隔を用いて第１の信号の受信に成功した場合、該サブキャリア間隔を第１の信号の送信のために使用されているサブキャリア間隔であると検出（認識）する。なお、「第１の信号の送信に用いられる可能性があるサブキャリア間隔の候補（または、信号の送信に用いられる可能性があるサブキャリア間隔の候補のセット）」は要素（１）から要素（４）の一部または全部に基づいて決定されてもよい。なお、「第１の信号の送信に用いられる可能性があるサブキャリア間隔の候補（または、信号の送信に用いられる可能性があるサブキャリア間隔の候補のセット）」は、「第１の信号のためのサブキャリア間隔の候補」、などに換言されてもよい。
【０１５４】
なお、第１の信号の受信に成功したことは、ＣＲＣ（Cyclic Redundancy Check、巡回
冗長検査、CRC符号、CRCパリティビット）に基づいて判定されてもよい。
【０１５５】
なお、第１の信号のためのサブキャリア間隔の検出に成功した端末装置は、他の周波数および／または時間において第１の信号を受信する場合（第１の信号の受信を試みる場合）、前記検出したサブキャリア間隔を用いて第１の信号が送信されていることを仮定して受信を試みてもよい。
【０１５６】
なお、「第１の信号」は、「信号」、「第ｘの信号（なお、ｘは任意の数）」、「ある信号」、「特定の信号」、などに換言することができる。
【０１５７】
なお、要素（３−１）に基づいて、適用可能なサブキャリア間隔が複数決定された場合（適用可能なサブキャリア間隔のセットが決定された場合）は、更に要素（１）から要素（４）の一部または全部に基づいて、適用可能なサブキャリア間隔（適用可能なサブキャリア間隔のセットの内、実際に適用されるサブキャリア間隔）が決定されてもよい。
【０１５８】
要素（３−２）に基づくサブキャリア間隔決定方法の一例を示す。
【０１５９】
要素（３−２）における「サービス」とは、端末装置が興味を持つサービスであっても
よいし、端末装置が認証されたサービスであってもよい。なお、「サービス」は、「特定のサービス」、「あるサービス」、「第１のサービス」、「第ｘのサービス（なお、ｘは任意の数）」、などに換言することができる。なお、「サービス」は、端末装置間通信（Device to Device communication、D2D）、基地局と端末装置の通信（セルラ通信）、マ
シンタイプ通信（Machine to Machine communication、M2M）、モノのインターネット（Internet of Things、IoT）、ユニキャスト送信、マルチキャスト送信（ＭＢＳＦＮに関連する通信）、ＭＢＳＦＮグループ、端末装置の移動速度、などで異なってもよい。
【０１６０】
例えば、端末装置が第１のサービスに関連する信号を受信する場合、前記第１のサービスに関連する信号は第１のサブキャリア間隔で送信されていることを仮定して受信する（受信を試みる）ことが好ましい。なお、「第１のサービスに関連する信号を受信する場合」は、「第１のサービスのための信号を受信する場合」、「特定のサービスに関連する信号を受信する場合」、「特定のサービスのための信号を受信する場合」、などに換言することができる。なお、端末装置が仮定する第１のサブキャリア間隔は、要素（１）から要素（４）の一部または全部に基づいて決定されてもよい。
【０１６１】
また、第１のサービスのために用いられる可能性があるサブキャリア間隔の候補（または、第１のサービスのために用いられる可能性があるサブキャリア間隔の候補のセット）が決定および／または設定されてもよい。なお、「第１のサービスのために用いられる可能性があるサブキャリア間隔の候補（または、第１のサービスのために用いられる可能性があるサブキャリア間隔の候補のセット）」は要素（１）から要素（４）の一部または全部に基づいて決定されてもよい。なお、第１のサービスのために用いられる可能性があるサブキャリア間隔の候補の内、実際にどのサブキャリア間隔が第１のサービスのために用いられているかは要素（１）から要素（４）の一部または全部に基づいて決定されてもよい。なお、「第１のサービスのために用いる」は、「第１のサービスのための信号の送信に用いる」、などに換言されてもよい。
【０１６２】
なお、要素（３−２）に基づいて、適用可能なサブキャリア間隔が複数決定された場合（適用可能なサブキャリア間隔のセットが決定された場合）は、更に要素（１）から要素（４）の一部または全部に基づいて、適用可能なサブキャリア間隔（適用可能なサブキャリア間隔のセットの内、実際に適用されるサブキャリア間隔）が決定されてもよい。
【０１６３】
要素（３−３）に基づくサブキャリア間隔決定方法の一例を示す。
【０１６４】
なお、要素（３−３）における「ＬＣＩＤ（Logical Channel ID）」とは、ＭＡＣヘッダーの構成要素の１つであって、対応するＭＡＣデータの性質や行き先を示す（教える）ことに関連するＩＤ（識別子）であってもよい。例えば、ＬＣＩＤは対応するＭＡＣデータがコントロールのための信号であるか否かを示す。例えば、ＬＣＩＤは対応するＭＡＣデータがデータ（ユーザーデータ）のための信号であるか否かを示す。例えば、ＬＣＩＤは対応するＭＡＣデータがコントロールのための信号であるかデータ（ユーザーデータ）のための信号であるかを示す。例えば、ＬＣＩＤは対応するＭＡＣデータが着信（ページング）のための信号であるか否かを示す。
【０１６５】
例えば、端末装置がＬＣＩＤを含むＭＡＣヘッダーを受信した場合、該ＬＣＩＤに基づいて、該ＬＣＩＤに関連する信号のサブキャリア間隔が決定されてもよい。なお、「該ＬＣＩＤに関連する信号」とは、該ＬＣＩＤに対応するＭＡＣデータが送信される信号であってもよい。
【０１６６】
例えば、端末装置がＬＣＩＤを含むＭＡＣヘッダーを受信した場合、該ＬＣＩＤが示すＭＡＣデータの性質および／または行き先に基づいて、該ＬＣＩＤに関連する信号のサブ
キャリア間隔が決定されてもよい。なお、「該ＬＣＩＤに関連する信号」とは、該ＬＣＩＤに対応するＭＡＣデータが送信される信号であってもよい。なお、「該ＬＣＩＤが示すＭＡＣデータの性質および／または行き先に基づく」とは、該ＬＣＩＤが、対応するＭＡＣデータがコントロールのための信号であるかデータ（ユーザーデータ）のための信号であるかを示すことに基づくことであってもよい。
【０１６７】
なお、該ＬＣＩＤに関連する信号のサブキャリア間隔は、要素（１）から要素（４）の一部または全部に基づいて決定されてもよい。
【０１６８】
また、該ＬＣＩＤに関連する信号のために用いられる可能性があるサブキャリア間隔の候補（または、該ＬＣＩＤに関連する信号のために用いられる可能性があるサブキャリア間隔の候補のセット）が決定および／または設定されてもよい。なお、「該ＬＣＩＤに関連する信号のために用いられる可能性があるサブキャリア間隔の候補（または、該ＬＣＩＤに関連する信号のために用いられる可能性があるサブキャリア間隔の候補のセット）」は要素（１）から要素（４）の一部または全部に基づいて決定されてもよい。なお該ＬＣＩＤに関連する信号のために用いられる可能性があるサブキャリア間隔の候補の内、実際にどのサブキャリア間隔が該ＬＣＩＤに関連する信号のために用いられているかは要素（１）から要素（４）の一部または全部に基づいて決定されてもよい。
【０１６９】
なお、要素（３−３）はＬＣＩＤに関連するチャネル（ロジカルチャネル）の優先度に基づいて設定および／または指示されることであってもよい。例えば、ＬＣＩＤに関連するチャネル（ロジカルチャネル）の優先度とは、ＬＣＩＤに対応するＭＡＣデータがコントロールのための信号であるかデータ（ユーザーデータ）のための信号であるかに基づいて決定されることが好ましく、コントロールのための信号の方がデータ（ユーザーデータ）のための信号よりも高い優先度であってもよい。
【０１７０】
なお、要素（３−３）に基づいて、適用可能なサブキャリア間隔が複数決定された場合（適用可能なサブキャリア間隔のセットが決定された場合）は、更に要素（１）から要素（４）の一部または全部に基づいて、適用可能なサブキャリア間隔（適用可能なサブキャリア間隔のセットの内、実際に適用されるサブキャリア間隔）が決定されてもよい。
【０１７１】
要素（３−４）に基づくサブキャリア間隔決定方法の一例を示す。
【０１７２】
要素（３−４）に基づくサブキャリア間隔決定方法の一例を示す。
【０１７３】
下りリンクデータ、および、上りリンクデータは、ＳＲＢ（Signalling Radio Bearer
）のデータ、および、ＤＲＢ（Data Radio Bearer）のデータを含んでもよい。ＳＲＢは
、ＲＲＣ（Radio Resource Control）メッセージ、および、ＮＡＳ（Non Access Stratum）メッセージの送信のためのみに用いられる無線ベアラとして定義される。ＤＲＢは、ユーザーデータを伝送する無線ベアラとして定義される。
【０１７４】
ＳＲＢは、ＳＲＢ０、ＳＲＢ１、および、ＳＲＢ２を含んでもよい。なお、ＳＲＢ０は、ＣＣＣＨ論理チャネルを使用するＲＲＣメッセージのためのＳＲＢである。なお、ＳＲＢ１は、ＤＣＣＨ論理チャネルを使用するＲＲＣメッセージ（該ＲＲＣメッセージは、ピギーバックされたＮＡＳメッセージを含んでもよい）のためのＳＲＢである。なお、ＳＲＢ１は、ＤＣＣＨ論理チャネルを使用するＮＡＳメッセージ（該ＮＡＳメッセージは、ＳＲＢ２の設立に先立つＮＡＳメッセージ）のためのＳＲＢである。なお、ＳＲＢ２は、ＤＣＣＨ論理チャネルを使用するＲＲＣメッセージ（該ＲＲＣメッセージは、ロギングされた測定情報を含む）のためのＳＲＢである。なお、ロギングされた測定情報とは、時間経過に沿って定期的に記録された測定情報であってもよい。なお、ＳＲＢ２は、ＳＲＢ１よ
りも低い優先度を持つ。なお、ＳＲＢ２は、セキュリティが活性化された後にＥ−ＵＴＲＡＮによって設定される。
【０１７５】
なお、要素（３−４）における「ベアラに基づく」とは、下りリンクデータ、および／または、上りリンクデータがＳＲＢ（Signalling Radio Bearer）のデータを含むことに
基づくこと（もしくは含まないことに基づくこと）、であってもよい。例えば、下りリンクデータ、および／または、上りリンクデータがＳＲＢ（Signalling Radio Bearer）の
データを含む場合、該下りリンクデータ、および／または、該上りリンクデータの送信または受信に第１のサブキャリア間隔が適用されてもよい。なお、それ以外の場合（下りリンクデータ、および／または、上りリンクデータがＳＲＢ（Signalling Radio Bearer）
のデータを含まない場合、または、下りリンクデータ、および／または、上りリンクデータがＤＲＢ（Data Radio Bearer）のデータを含む場合）、該下りリンクデータ、および
／または、該上りリンクデータの送信または受信に第２のサブキャリア間隔が適用されてもよい。
【０１７６】
なお、要素（３−４）における「ベアラに基づく」とは、下りリンクデータ、および／または、上りリンクデータがＤＲＢ（Data Radio Bearer）のデータを含むことに基づく
こと（もしくは含まないことに基づくこと）、であってもよい。例えば、下りリンクデータ、および／または、上りリンクデータがＤＲＢ（Data Radio Bearer）のデータを含む
場合、該下りリンクデータ、および／または、該上りリンクデータの送信または受信に第１のサブキャリア間隔が適用されてもよい。なお、それ以外の場合（下りリンクデータ、および／または、上りリンクデータがＤＲＢ（Data Radio Bearer）のデータを含まない
場合、または、下りリンクデータ、および／または、上りリンクデータがＳＲＢ（Signalling Radio Bearer）のデータを含む場合）、該下りリンクデータ、および／または、該
上りリンクデータの送信または受信に第２のサブキャリア間隔が適用されてもよい。
【０１７７】
なお、要素（３−４）における「ベアラに基づく」とは、ＳＲＢに、ＳＲＢ０、ＳＲＢ１、ＳＲＢ２の何れが含まれていることに基づくこと、であってもよい。例えば、ＳＲＢにＳＲＢ０が含まれる場合は第１のサブキャリア間隔が適用され、ＳＲＢにＳＲＢ１が含まれる場合は第２のサブキャリア間隔が適用され、ＳＲＢにＳＲＢ２が含まれる場合は第３のサブキャリア間隔が適用されてもよい。
【０１７８】
なお、要素（３−４）に基づいて、適用可能なサブキャリア間隔が複数決定された場合（適用可能なサブキャリア間隔のセットが決定された場合）は、更に要素（１）から要素（４）の一部または全部に基づいて、適用可能なサブキャリア間隔（適用可能なサブキャリア間隔のセットの内、実際に適用されるサブキャリア間隔）が決定されてもよい。
【０１７９】
要素（３−５）に基づくサブキャリア間隔決定方法の一例を示す。
【０１８０】
要素（３−５）における「バンド（搬送波周波数）」とは、一部または全部の信号の送信および／または受信に用いるバンド（搬送波周波数）であってもよい。なお、一部または全部の信号を送信および／または受信するのは、端末装置であってもよいし、基地局装置であってもよい。
【０１８１】
要素（３−５）における「バンド（搬送波周波数）」とは、一部または全部の信号の送信および／または受信に用いるられる可能性があるバンド（搬送波周波数）であってもよい。なお、一部または全部の信号が送信および／または受信される可能性があると想定するのは、端末装置であってもよいし、基地局装置であってもよい。
【０１８２】
要素（３−５）における「バンド（搬送波周波数）」とは、一部または全部の信号の送
信および／または受信が想定されるバンド（搬送波周波数）であってもよい。なお、一部または全部の信号の送信および／または受信を想定（期待）するのは、端末装置であってもよいし、基地局装置であってもよい。換言すると、要素（３−５）における「バンド（搬送波周波数）」とは、一部または全部の信号が送信されることおよび／または受信されることが想定されるバンド（搬送波周波数）であってもよい。なお、一部または全部の信号の送信されることおよび／または受信されることを想定するのは、端末装置であってもよいし、基地局装置であってもよい。
【０１８３】
なお、本実施形態における「想定」は、「期待」、「試みる」、「検出を試みる」、などに換言されてもよい。
【０１８４】
なお、本実施形態における「送信する」は、「送信することを試みる」、などに換言されてもよい。また、本実施形態における「受信する」は、「受信することを試みる」、「検出を試みる」などに換言されてもよい。
【０１８５】
なお、本実施形態における「バンド」は「オペレーティングバンド」に換言されてもよく、オペレーティングバンドには、上りリンクオペレーティングバンドと下りリンクオペレーティングバンドが対応してもよい。なお、オペレーティングバンドは、少なくとも下りリンクオペレーティングバンドが対応してもよい。換言すると、オペレーティングバンドは、上りリンクオペレーティングバンドを含まなくてもよい。
【０１８６】
例えば、端末装置が第１の搬送波周波数において、上記一部または全部の信号を受信する場合、第１の搬送波周波数において、第１のサブキャリア間隔が適用されている（第１のサブキャリア間隔を用いた信号が送信されている）と想定し受信してもよい。
【０１８７】
すなわち、第１の搬送波周波数と第１のサブキャリア間隔が対応してもよい。換言すると、第１の搬送波周波数において送信および／または受信される、上記一部または全部の信号には、第１のサブキャリア間隔が適用されてもよい。
【０１８８】
例えば、端末装置が第１の搬送波周波数において、一部または全部の信号を受信する場合、第１の搬送波周波数において、第１のサブキャリア間隔の候補のセットに含まれる何れのサブキャリア間隔が適用されていると想定し受信してもよい。なお、「第１のサブキャリア間隔の候補のセットに含まれる何れのサブキャリア間隔が適用されている」かは、要素（１）から要素（４）の一部または全部に基づいて決定されてもよい。
【０１８９】
すなわち、第１の搬送波周波数と第１のサブキャリア間隔の候補のセットが対応してもよい。換言すると、第１の搬送波周波数において送信および／または受信される、上記一部または全部の信号には、第１のサブキャリア間隔の候補のセットに含まれる何れのサブキャリア間隔が適用されてもよい。例えば、第１のサブキャリア間隔の候補のセットには、複数のサブキャリア間隔が含まれてもよい。例えば、第１のサブキャリア間隔の候補のセットには、第１のサブキャリア間隔から第ｘのサブキャリア間隔（ｘは任意の数）が含まれてもよい。なお、第１のサブキャリア間隔から第ｘのサブキャリア間隔（ｘは任意の数）の内、どのサブキャリア間隔が実際に適用されているかは、要素（１）から要素（４）の一部または全部に基づいて決定されてもよい。
【０１９０】
要素（３−６）に基づくサブキャリア間隔決定方法の一例を示す。
【０１９１】
要素（３−６）における「信号（チャネル）の送信パターン」とは、信号が送信される周波数（周波数位置）および／または時間（時間位置）によって異なってもよい。例えば、第１の周波数および／または第１の時間で送信される第１の信号は、第１の送信パター
ンで送信される第１の信号であり、第２の周波数および／または第２の時間で送信される第１の信号は、第２の送信パターンで送信される第１の信号であってもよい。なお、ここでは基地局装置における「送信」について説明したが、端末装置における「受信」に換言されてもよい。すなわち、本実施形態における「送信」は「受信」に換言されてもよいし、「信号（チャネル）の送信パターン」は「信号の受信パターン」に換言されてもよい。
【０１９２】
例えば、端末装置は、第１の送信パターンで送信される第１の信号を受信した場合、第２の信号の送信には第１のサブキャリア間隔が適用さていると想定して第２の信号を受信してもよく、第２の送信パターンで送信される第１の信号を受信した場合、第２の信号の送信には第２のサブキャリア間隔が適用さていると想定して第２の信号を受信してもよい。なお、第１の信号の送信には所定のサブキャリア間隔（予め定義されているサブキャリア間隔、または、仕様書などで定義されているサブキャリア間隔）が適用されてもよい。
【０１９３】
例えば、端末装置は、第１の送信パターンで送信される同期信号を受信した場合、データのための信号の送信には第１のサブキャリア間隔が適用さていると想定してデータのための信号を受信してもよく、第２の送信パターンで送信される同期信号を受信した場合、データのための信号の送信には第２のサブキャリア間隔が適用さていると想定してデータのための信号を受信してもよい。なお、同期信号の送信には所定のサブキャリア間隔（予め定義されているサブキャリア間隔、または、仕様書などで定義されているサブキャリア間隔）が適用されてもよい。
【０１９４】
例えば、端末装置は、第１の送信パターンで送信される同期信号を受信した場合、システム情報のための信号（報知チャネル）の送信には第１のサブキャリア間隔が適用さていると想定してシステム情報のための信号を受信してもよく、第２の送信パターンで送信される同期信号を受信した場合、システム情報のための信号の送信には第２のサブキャリア間隔が適用さていると想定してシステム情報のための信号を受信してもよい。なお、同期信号の送信には所定のサブキャリア間隔（予め定義されているサブキャリア間隔、または、仕様書などで定義されているサブキャリア間隔）が適用されてもよい。
【０１９５】
要素（４）に基づくサブキャリア間隔決定方法の一例を示す。
【０１９６】
要素（４）における、「端末装置の能力情報」とは、端末装置が特定の通信をサポートすること（またはサポートしないこと）に関連する端末装置の能力情報であってもよい。なお、「特定の通信」とは、複数のサブキャリア間隔が適応可能な通信（通信システム）であってもよい。
【０１９７】
要素（４）における、「端末装置の能力情報」とは、サブキャリア間隔に関連する端末装置の能力情報であってもよい。
【０１９８】
「端末装置の能力情報」とは、複数のサブキャリア間隔を用いた送信および／または受信をサポートすること（またはサポートしないこと）を示すことに関連する端末装置の能力情報であってもよい。なお、「複数のサブキャリア間隔を用いた送信および／または受信」は、信号の送信および／または受信に複数のサブキャリア間隔が適用可能であってもよい。なお、「複数のサブキャリア間隔を用いた送信および／または受信」は、信号の送信および／または受信に可変のサブキャリア間隔が適用可能であってもよい。
【０１９９】
「端末装置の能力情報」とは、所定のサブキャリア間隔を用いた送信および／または受信をサポートすること（またはサポートしないこと）を示すことに関連する端末装置の能力情報であってもよい。
【０２００】
なお、上記「端末装置の能力情報」は、端末装置が同時に受信できるチャネル（セル、コンポーネントキャリア）の数、および、該チャネル（セル、コンポーネントキャリア）のそれぞれに対するサブキャリア間隔を示してもよい。例えば、上記「端末装置の能力情報」は、第１のサブキャリア間隔の２つのチャネル（セル、コンポーネントキャリア）と、第２のサブキャリア間隔の１つのチャネル（セル、コンポーネントキャリア）を同時に受信できることを示してもよい。
【０２０１】
なお、上記「端末装置の能力情報」は、端末装置が同時に送信できるチャネル（セル、コンポーネントキャリア）の数、および、該チャネルのそれぞれに対するサブキャリア間隔を示してもよい。例えば、上記「端末装置の能力情報」は、第１のサブキャリア間隔の２つのチャネル（セル、コンポーネントキャリア）と、第２のサブキャリア間隔の１つのチャネル（セル、コンポーネントキャリア）を同時に送信できることを示してもよい。
【０２０２】
なお、上記「端末装置の能力情報」は、搬送波周波数毎（バンド毎）に定義されてもよい。例えば、端末装置は搬送波周波数毎（バンド毎）の「端末装置の能力情報」を保持し、送信されてもよい。
【０２０３】
なお、上記「端末装置の能力情報」は、上りリンクと下りリンクで独立に定義されてもよい。すなわち、上記「端末装置の能力情報」は、上りリンクの通信に関連する端末装置の能力情報と下りリンクの通信に関連する端末装置の能力情報で独立に定義されてもよい。例えば、端末装置は上りリンクと下りリンクで独立の「端末装置の能力情報」を保持し、送信されてもよい。
【０２０４】
また、端末装置は、基地局またはネットワークの使用可能なサブキャリア間隔に関連する能力情報と、端末装置によってサポートされているサブキャリア間隔に基づいて上記「端末装置の能力情報」を送信してもよい。なお、「基地局またはネットワークの使用可能なサブキャリア間隔に関連する能力情報」は基地局装置から報知されるまたはシステム情報として送信されてもよい。
【０２０５】
例えば、第１から第３のサブキャリア間隔用いた信号を送信および／または受信することに関連する能力を持つ端末装置は、「基地局またはネットワークの使用可能なサブキャリア間隔に関連する能力情報」に基づいて、基地局またはネットワークの使用可能なサブキャリア間隔が第１のサブキャリア間隔と第３のサブキャリア間隔だと分かった場合、「端末装置の能力情報」として第１のサブキャリア間隔と第３のサブキャリア間隔を用いた信号を送信および／または受信することに関連する能力を持つことを送信してもよい。
【０２０６】
なお、「端末装置の能力情報」は、基地局からの端末能力問い合わせ（UECapabilityEnquiry）のメッセージを受信した場合に送信されてもよい。
【０２０７】
「端末装置の能力情報」を送信する手順の一例を示す。
【０２０８】
基地局装置は、端末能力問い合わせ（UECapabilityEnquiry）のメッセージを端末装置
に送信する。端末能力問い合わせのメッセージは、端末装置の無線アクセス能力の送信を要求するために用いられる。端末装置は、端末能力問い合わせのメッセージに基づいて、端末能力情報（UECapabilityInformation）のメッセージを基地局装置に送信する。端末
能力情報のメッセージは、基地局装置によって要求された端末装置の無線アクセス能力を送信するために用いられる。端末能力情報のメッセージは、端末能力（UE-EUTRA-Capability）の情報エレメントを含む。UE-EUTRA-Capabilityは、基地局装置における端末装置の無線アクセス能力パラメータと、必須機能のためのＦＧＩ（Feature group indicator）
をネットワークに対して伝達するために用いられる。
【０２０９】
UE-EUTRA-Capabilityは、少なくとも無線周波数に関するパラメータ（RF-Parameters）と、物理レイヤーに関するパラメータ（PhyLayerParameters）とを含む。RF-Parameters
は、少なくとも端末装置がサポートするバンドのリスト（supportedBandListEUTRA）、および／または、端末装置がサポートするバンドの組み合わせ（supportedBandCombination）を含む。supportedBandListEUTRAは、端末装置がサポートするバンド（SupportedBandEUTRA）のリストである。supportedBandCombinationは、端末装置がサポートするバンドの組み合わせに関するパラメータ（BandCombinationParameters）のリストである。
【０２１０】
SupportedBandEUTRAは、少なくとも端末装置がサポートするバンドを示す識別子（FreqBandIndicator）と、そのバンドにおいて半二重通信がサポートされるか全二重通信がサ
ポートされるかを示す情報（halfDuplex）とを含む。なお、端末装置によって通信がサポートされているバンドの数は限定されない。すなわち、端末装置は１つのバンドでのみ通信をサポートしてもよいし、端末装置は複数のバンドでの通信をサポートしてもよい。
【０２１１】
BandCombinationParametersは、端末装置がサポートするバンドの組み合わせにおける
各バンドに関するパラメータ（BandParameters）を含む。BandParametersは、そのバンドを示す識別子（FreqBandIndicator）と、そのバンドにおける上りリンクに関するパラメ
ータ（BandParametersUL）と、そのバンドにおける下りリンクに関するパラメータ（BandParametersDL）と、を含む。BandParametersULは、上りリンクにおけるＣＡとＭＩＭＯに関するパラメータ（CA-MIMO-ParametersUL）のリストである。BandParametersDLは、下りリンクにおけるＣＡとＭＩＭＯに関するパラメータ（CA-MIMO-ParametersDL）のリストである。CA-MIMO-ParametersULは、上りリンクにおけるＣＡバンド幅クラスを示す情報（CA-BandwidthClass）と、上りリンクにおいてサポートされるＭＩＭＯのレイヤー数に関す
る情報（MIMO-CapabilityUL）とを含む。CA-MIMO-ParametersDLは、下りリンクにおける
ＣＡバンド幅クラスを示す情報（CA-BandwidthClass）と、下りリンクにおいてサポート
されるＭＩＭＯのレイヤー数に関する情報（MIMO-CapabilityDL）とを含む。CA-BandwidthClassにおいて、端末装置はそのバンドの組み合わせに関するシグナリングの中で全てのサポートされるＣＡバンド幅クラスを明示的に含める。
【０２１２】
なお、要素（４）に基づいて、適用可能なサブキャリア間隔が複数決定された場合（適用可能なサブキャリア間隔のセットが決定された場合）は、更に要素（１）から要素（４）の一部または全部に基づいて、適用可能なサブキャリア間隔（適用可能なサブキャリア間隔のセットの内、実際に適用されるサブキャリア間隔）が決定されてもよい。
【０２１３】
なお、上記要素（１）から要素（４）の一部または全部に基づいて、信号のためのサブキャリア間隔が決定された場合、決定されたサブキャリア間隔に基づいて、該信号のための参照信号、および／または、該信号のためのＣＰ（ＣＰ長）が決定されてもよい。すなわち、信号のためのサブキャリア間隔が決定されることに基づいて、該信号のための参照信号、および／または、該信号のためのＣＰ（ＣＰ長）が決定されてもよい。なお、「信号のための参照信号が決定される」とは、参照信号のためのサブキャリア間隔が決定されることであってもよい。なお、決定されたＣＰ（ＣＰ長）は、決定された参照信号にも適用されてもよい。
【０２１４】
例えば、サブキャリア間隔に対応する参照信号（参照信号のサブキャリア間隔）、および／または、ＣＰ（ＣＰ長）は、仕様によって定義されてもよい。換言すると、上記信号の一部または全部のためのサブキャリア間隔に対応する参照信号（参照信号のサブキャリア間隔）、および／または、ＣＰ（ＣＰ長）は、仕様によって定義されてもよい。
【０２１５】
なお、信号のための参照信号（参照信号のサブキャリア間隔）、および／または、ＣＰ
（ＣＰ長）は、基地局から通知されてもよい。
【０２１６】
なお、信号のための参照信号（参照信号のサブキャリア間隔）、および／または、ＣＰ（ＣＰ長）は、仕様によって定義されてもよい。例えば、信号のための参照信号（参照信号のサブキャリア間隔）、および／または、ＣＰ（ＣＰ長）は、搬送波周波数（バンド）と対応していてもよい。すなわち、端末装置は、信号のための搬送波周波数（バンド）を知ることで、該信号のための参照信号（参照信号のサブキャリア間隔）、および／または、ＣＰ（ＣＰ長）を知ってもよい。
【０２１７】
本発明の一様態による端末装置は、上位層の信号に含まれる第１のパラメータに基づいて、データチャネルに適用可能なサブキャリア間隔のセットを特定する制御部と、データチャネルの割り当て情報を含むコントロールチャネルを受信する受信部を備え、前記データチャネルの割り当て情報のタイプに基づいて、前記データチャネルの割当情報によって割当てられる前記データチャネルに対して適用可能なサブキャリア間隔を、前記サブキャリア間隔のセットの中から選択する。
【０２１８】
本発明の一様態による端末装置は上述の端末装置であって、前記第１のパラメータは、オペレーティングバンドに関連する。
【０２１９】
本発明の一様態による端末装置は上述の端末装置であって、前記オペレーティングバンドには、上りリンクオペレーティングバンドと下りリンクオペレーティングバンドが対応し、前記上りリンクオペレーティングバンドに適用可能なサブキャリア間隔と前記下りリンクオペレーティングバンドに適用可能なサブキャリア間隔は独立に定義される。
【０２２０】
本発明の一様態による端末装置は上述の端末装置であって、前記データチャネルの割り当て情報のタイプは、上りリンクのデータチャネルの割り当て情報に関連する第１のタイプと、下りリンクのデータチャネルの割り当て情報に関連する第２のタイプを含む。
【０２２１】
本発明の一様態による端末装置は上述の端末装置であって、前記データチャネルの割り当て情報のタイプが前記第１のタイプである場合は、前記適用可能なサブキャリア間隔のセットの内、第１のサブキャリア間隔を前記上りリンクのデータチャネルに適用し、前記データチャネルの割り当て情報のタイプが前記第２のタイプである場合は、前記適用可能なサブキャリア間隔のセットの内、第２のサブキャリア間隔を前記下りリンクのデータチャネルに適用する。
【０２２２】
本発明の一様態による端末装置は上述の端末装置であって、前記サブキャリア間隔のセットは、第１のサブセットと第２のサブセットを含み、前記データチャネルの割り当て情報のタイプが前記第１のタイプである場合は、前記第１のサブセットに含まれる第１のサブキャリア間隔を前記上りリンクのデータチャネルに適用し、前記データチャネルの割り当て情報のタイプが前記第２のタイプである場合は、前記第２のサブセットに含まれる第２のサブキャリア間隔を前記下りリンクのデータチャネルに適用する。
【０２２３】
本発明の一様態による端末装置は上述の端末装置であって、前記第１のサブキャリア間隔および／または前記第２のサブキャリア間隔は、報知される情報、複数の端末装置に対して共通である情報、１つの端末装置に対して専用である情報、物理層の情報、および／または、上位層の情報、を用いて指示される。
【０２２４】
本発明の一様態による基地局装置は、データチャネルに適用可能なサブキャリア間隔のセットを示すことに関連する第１のパラメータを含む上位層の信号を送信する送信部と、データチャネルの割り当て情報を含むコントロールチャネルを送信する送信部と、前記デ
ータチャネルの割り当て情報のタイプに基づく適用可能なサブキャリア間隔を用いて、データチャネルを送信する送信部を備え、前記適用可能なサブキャリア間隔は、前記サブキャリア間隔のセットの中に含まれる。
【０２２５】
本発明の一様態による基地局装置は上述の基地局装置であって、前記第１のパラメータは、オペレーティングバンドに関連する。
【０２２６】
本発明の一様態による基地局装置は上述の基地局装置であって、前記オペレーティングバンドには、上りリンクオペレーティングバンドと下りリンクオペレーティングバンドが対応し、前記上りリンクオペレーティングバンドに適用可能なサブキャリア間隔と前記下りリンクオペレーティングバンドに適用可能なサブキャリア間隔は独立に定義される。
【０２２７】
本発明の一様態による基地局装置は上述の基地局装置であって、前記データチャネルの割り当て情報のタイプは、上りリンクのデータチャネルの割り当て情報に関連する第１のタイプと、下りリンクのデータチャネルの割り当て情報に関連する第２のタイプを含む。
【０２２８】
本発明の一様態による基地局装置は上述の基地局装置であって、前記データチャネルの割り当て情報のタイプが前記第１のタイプである場合は、前記適用可能なサブキャリア間隔のセットの内、第１のサブキャリア間隔を前記上りリンクのデータチャネルに適用し、前記データチャネルの割り当て情報のタイプが前記第２のタイプである場合は、前記適用可能なサブキャリア間隔のセットの内、第２のサブキャリア間隔を前記下りリンクのデータチャネルに適用する。
【０２２９】
本発明の一様態による基地局装置は上述の基地局装置であって、前記サブキャリア間隔のセットは、第１のサブセットと第２のサブセットを含み、前記データチャネルの割り当て情報のタイプが前記第１のタイプである場合は、前記第１のサブセットに含まれる第１のサブキャリア間隔を前記上りリンクのデータチャネルに適用し、前記データチャネルの割り当て情報のタイプが前記第２のタイプである場合は、前記第２のサブセットに含まれる第２のサブキャリア間隔を前記下りリンクのデータチャネルに適用する。
【０２３０】
本発明の一様態による基地局装置は上述の基地局装置であって、前記第１のサブキャリア間隔および／または前記第２のサブキャリア間隔は、報知される情報、複数の端末装置に対して共通である情報、１つの端末装置に対して専用である情報、物理層の情報、および／または、上位層の情報、を用いて指示される。
【０２３１】
本発明の一様態による端末装置における通信方法は、上位層の信号に含まれる第１のパラメータに基づいて、データチャネルに適用可能なサブキャリア間隔のセットを特定し、データチャネルの割り当て情報を含むコントロールチャネルを受信し、前記データチャネルの割り当て情報のタイプに基づいて、前記データチャネルの割当情報に関連する前記データチャネルに対して適用可能なサブキャリア間隔を、前記サブキャリア間隔のセットの中から選択する。
【０２３２】
本発明の一様態による基地局装置における通信方法は、データチャネルに適用可能なサブキャリア間隔のセットを示すことに関連する第１のパラメータを含む上位層の信号を送信し、データチャネルの割り当て情報を含むコントロールチャネルを送信し、前記データチャネルの割り当て情報のタイプに基づく適用可能なサブキャリア間隔を用いて、データチャネルを送信し、前記適用可能なサブキャリア間隔は、前記サブキャリア間隔のセットの中に含まれる。
【０２３３】
本発明の一様態による端末装置は、第１のフィールド、および、第２のフィールドを含
む情報制御情報フォーマットを伴うコントロールチャネルを受信する受信部と、前記第１のフィールドの値に基づいて、サブキャリア間隔を特定する受信制御部と、特定された前記サブキャリア間隔を用いて、前記第２のフィールドの値によって割当てられるデータチャネルを受信する受信部を備える。
【０２３４】
本発明の一様態による端末装置は上述の端末装置であって、前記第１のフィールドが存在するか否かは、上位層の信号によって通知され、前記第１のフィールドが存在することが通知された場合は、前記第１のフィールドを伴うペイロードサイズの前記制御情報フォーマットを受信し、前記第１のフィールドが存在することが通知されなかった場合は、前記第１のフィールドを伴わないペイロードサイズの前記制御情報フォーマットを受信する。
【０２３５】
本発明の一様態による端末装置は上述の端末装置であって、前記コントロールチャネルと前記データチャネルのサブキャリア間隔が異なるか否かは、上位層の信号によって通知され、前記コントロールチャネルと前記データチャネルのサブキャリア間隔が異なることが通知された場合は、前記第１のフィールドを伴うペイロードサイズの前記制御情報フォーマットを受信し、前記コントロールチャネルと前記データチャネルのサブキャリア間隔が異なることが通知されなかった場合は、前記第１のフィールドを伴わないペイロードサイズの前記制御情報フォーマットを受信する。
【０２３６】
本発明の一様態による基地局装置は、第１のフィールド、および、第２のフィールドを含む情報制御情報フォーマットを伴うコントロールチャネルを送信する送信部と、前記第１のフィールドの値に基づくサブキャリア間隔を用いて、前記第２のフィールドの値によって割当てるデータチャネルを送信する送信部を備える。
【０２３７】
本発明の一様態による基地局装置は上述の基地局装置であって、前記第１のフィールドが存在するか否かを上位層の信号を用いて通知し、前記第１のフィールドが存在することを通知した場合は、前記第１のフィールドを伴うペイロードサイズの前記制御情報フォーマットを送信し、前記第１のフィールドが存在することを通知しなかった場合は、前記第１のフィールドを伴わないペイロードサイズの前記制御情報フォーマットを送信する。
【０２３８】
本発明の一様態による基地局装置は上述の基地局装置であって、前記コントロールチャネルと前記データチャネルのサブキャリア間隔が異なるか否かを上位層の信号を用いて通知し、前記コントロールチャネルと前記データチャネルのサブキャリア間隔が異なることを通知した場合は、前記第１のフィールドを伴うペイロードサイズの前記制御情報フォーマットを送信し、前記コントロールチャネルと前記データチャネルのサブキャリア間隔が異なることを通知しなかった場合は、前記第１のフィールドを伴わないペイロードサイズの前記制御情報フォーマットを送信する。
【０２３９】
本発明の一様態による端末装置における通信方法は、第１のフィールド、および、第２のフィールドを含む情報制御情報フォーマットを伴うコントロールチャネルを受信し、前記第１のフィールドの値に基づいて、サブキャリア間隔を特定し、特定された前記サブキャリア間隔を用いて、前記第２のフィールドの値によって割当てられるデータチャネルを受信する。
【０２４０】
本発明の一様態による基地局装置における通信方法は、第１のフィールド、および、第２のフィールドを含む情報制御情報フォーマットを伴うコントロールチャネルを送信し、前記第１のフィールドの値に基づくサブキャリア間隔を用いて、前記第２のフィールドの値によって割当てるデータチャネルを送信する。
【０２４１】
本発明の一様態による端末装置は、予め定められている第１のサブキャリア間隔を用いて、同期信号を受信する受信部と、受信した前記同期信号に基づいて、第１の信号の送信に用いられる第２のサブキャリア間隔を特定する受信制御部と、特定された前記第２のサブキャリア間隔を用いて、前記第１の信号を受信する受信部を備える。
【０２４２】
本発明の一様態による端末装置は上述の端末装置であって、前記第１の信号は前記信号とは異なる信号であり、前記第１の信号はデータの送信に用いられる。
【０２４３】
本発明の一様態による端末装置は上述の端末装置であって、前記同期信号が送信されるパターンに基づいて、前記第１の信号の送信に用いられる前記第２のサブキャリア間隔を特定する。
【０２４４】
本発明の一様態による端末装置は、予め定められている第１のサブキャリア間隔を用いて、同期信号を受信する受信部と、前記同期信号に基づいて同期後に、システム情報を受信する受信部と、前記システム情報に含まれる第１の情報に基づいて、第１の信号の送信に用いられる第２のサブキャリア間隔を特定する受信制御部と、特定された前記第２のサブキャリア間隔を用いて、前記第１の信号を受信する受信部を備える。
【０２４５】
本発明の一様態による端末装置は上述の端末装置であって、前記システム情報は、前記第１のサブキャリア間隔を用いて受信される。
【０２４６】
本発明の一様態による端末装置は上述の端末装置であって、前記第１の情報は、オペレーティングモードを示す情報である。
【０２４７】
本発明の一様態による端末装置における通信方法は、予め定められている第１のサブキャリア間隔を用いて、同期信号を受信し、受信した前記同期信号に基づいて、第１の信号の送信に用いられる第２のサブキャリア間隔を特定し、特定された前記第２のサブキャリア間隔を用いて、前記第１の信号を受信する。
【０２４８】
本発明の一様態による端末装置における通信方法は上述の端末装置における通信方法であって、前記第１の信号は前記信号とは異なる信号であり、前記第１の信号はデータの送信に用いられる。
【０２４９】
本発明の一様態による端末装置における通信方法は上述の端末装置における通信方法であって、前記同期信号が送信されるパターンに基づいて、前記第１の信号の送信に用いられる前記第２のサブキャリア間隔を特定する。
【０２５０】
本発明の一様態による端末装置における通信方法は、予め定められている第１のサブキャリア間隔を用いて、同期信号を受信し、前記同期信号に基づいて同期後に、システム情報を受信し、前記システム情報に含まれる第１の情報に基づいて、第１の信号の送信に用いられる第２のサブキャリア間隔を特定し、特定された前記第２のサブキャリア間隔を用いて、前記第１の信号を受信する。
【０２５１】
本発明の一様態による端末装置における通信方法は上述の端末装置における通信方法であって、前記システム情報は、前記第１のサブキャリア間隔を用いて受信される。
【０２５２】
本発明の一様態による端末装置における通信方法は上述の端末装置における通信方法であって、前記第１の情報は、オペレーティングモードを示す情報である。
【０２５３】
本発明に関わる基地局装置および端末装置で動作するプログラムは、本発明に関わる上
記実施形態の機能を実現するように、ＣＰＵ（Ｃｅｎｔｒａｌ  Ｐｒｏｃｅｓｓｉｎｇ  Ｕｎｉｔ）等を制御するプログラム（コンピュータを機能させるプログラム）であっても良い。そして、これら装置で取り扱われる情報は、その処理時に一時的にＲＡＭ（Ｒａｎｄｏｍ  Ａｃｃｅｓｓ  Ｍｅｍｏｒｙ）に蓄積され、その後、Ｆｌａｓｈ  ＲＯＭ（Ｒｅａｄ  Ｏｎｌｙ  Ｍｅｍｏｒｙ）などの各種ＲＯＭやＨＤＤ（Ｈａｒｄ  Ｄｉｓｋ  Ｄｒｉｖｅ）に格納され、必要に応じてＣＰＵによって読み出し、修正・書き込みが行われる。
【０２５４】
尚、上述した実施形態における端末装置、基地局装置−１あるいは基地局装置−２の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０２５５】
尚、ここでいう「コンピュータシステム」とは、端末装置、又は基地局装置−１あるいは基地局装置−２に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２５６】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２５７】
また、上述した実施形態における基地局装置−１あるいは基地局装置−２は、複数の装置から構成される集合体（装置グループ）として実現することもできる。装置グループを構成する装置の各々は、上述した実施形態に関わる基地局装置−１あるいは基地局装置−２の各機能または各機能ブロックの一部または全部を備えてもよい。装置グループとして、基地局装置−１あるいは基地局装置−２の一通りの各機能または各機能ブロックを有していればよい。また、上述した実施形態に関わる端末装置は、集合体としての基地局装置と通信することも可能である。
【０２５８】
また、上述した実施形態における基地局装置−１あるいは基地局装置−２は、ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）であってもよい。また、上述した実施形態における基地局装置−１あるいは基地局装置−２は、ｅＮｏｄｅＢに対する上位ノードの機能の一部または全部を有してもよい。
【０２５９】
また、上述した実施形態における端末装置、基地局装置−１あるいは基地局装置−２の一部、又は全部を典型的には集積回路であるＬＳＩとして実現してもよいし、チップセットとして実現してもよい。端末装置、基地局装置−１あるいは基地局装置−２の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２６０】
また、上述した実施形態では、端末装置もしくは通信装置の一例としてセルラー移動局装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０２６１】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０２６２】
２２０１  上位層
２２０２  制御部
２２０３  コードワード生成部
２２０４  下りリンクサブフレーム生成部
２２０５  下りリンク参照信号生成部
２２０６  ＯＦＤＭ信号送信部
２２０７  基地局送信アンテナ
２２０８  基地局受信アンテナ
２２０９  ＳＣ−ＦＤＭＡ信号受信部
２２１０  上りリンクサブフレーム処理部
２２１１  上りリンク制御情報抽出部
２３０１  端末受信アンテナ
２３０２  ＯＦＤＭ信号受信部
２３０３  下りリンクサブフレーム処理部
２３０４  下りリンク参照信号抽出部
２３０５  トランスポートブロック抽出部
２３０６  制御部
２３０７  上位層
２３０８  チャネル状態測定部
２３０９  上りリンクサブフレーム生成部
２３１０  上りリンク制御情報生成部
２３１１、２３１２  ＳＣ−ＦＤＭＡ信号送信部
２３１３、２３１４  端末送信アンテナ
【図１】
2019057747.tif 000003
【図２】
2019057747.tif 000004
【図３】
2019057747.tif 000005
【図４】
2019057747.tif 000006
【図５】
2019057747.tif 000007
【図６】
2019057747.tif 000008
【図７】
2019057747.tif 000009
【図８】
2019057747.tif 000010
【図９】
2019057747.tif 000011
【図１０】
2019057747.tif 000012
【図１１】
2019057747.tif 000013
【図１２】
2019057747.tif 000014
【図１３】
2019057747.tif 000015
【図１４】
2019057747.tif 000016
【図１５】
2019057747.tif 000017
【図１６】
2019057747.tif 000018
【図１７】
2019057747.tif 000019
【図１８】
2019057747.tif 000020
【図１９】
2019057747.tif 000021
【図２０】
2019057747.tif 000022
【図２１】
2019057747.tif 000023
【図２２】
2019057747.tif 000024
【図２３】
2019057747.tif 000025
【図２４】
2019057747.tif 000026
【図２５】
2019057747.tif 000027